(57)【特許請求の範囲】
【請求項１】
装填位置に差入及び引出可能に装填される装填対象を上記装填位置にロックするためのロックレバーと、
上記ロックレバーを一方向に回転させてロックレバー先端部を、上記装填位置に装填された上記装填対象に穿設されている孔に差し込んで当該装填対象を上記装填位置にロックするためのロック位置と、上記ロックレバーを上記一方向とは逆の他方向に回転させて上記ロックレバー先端部を上記装填対象の上記孔から抜き出して上記装填位置に対する上記装填対象のロックを解除する解除位置とに変位させると共に、上記ロック位置に変位させた上記ロックレバー先端部に外部から直接外力が加えられたときには、当該ロックレバー先端部を上記ロック位置から退避させるように上記ロックレバーを回動可能に支持する支持部と
を具え、
上記支持部は、
上記装填位置に上記装填対象が装填されたときの当該装填対象の上記孔の位置よりも、上記装填位置に対する上記装填対象の差入側で上記ロックレバーを、ロックレバー根元部を介して回動可能に支持し、
上記ロックレバーは、
上記ロックレバー先端部が上記ロック位置に変位したときに、当該ロックレバー先端部の少なくとも上記装填位置の底と対向する側が、当該底に向かって傾斜するように形成された
ロック装置。
【請求項２】
装填位置に差入及び引出可能に装填される装填対象を上記装填位置にロックするためのロックレバーと、
上記ロックレバーのロックレバー先端部を、上記装填位置に装填された上記装填対象に差し込んで当該装填対象を上記装填位置にロックするためのロック位置と、上記装填対象から抜き出して上記装填位置に対する上記装填対象のロックを解除する解除位置とに変位させると共に、上記ロック位置に変位させた上記ロックレバー先端部に外部から直接外力が加えられたときには、当該ロックレバー先端部を上記ロック位置から退避させるように上記ロックレバーを支持する支持部と
を具え、
上記ロックレバーは、
上記ロックレバー先端部が上記ロック位置に変位したときに、当該ロックレバー先端部の少なくとも上記装填位置に対する上記装填対象の差入側と対向する側が、上記装填位置の底に向かって傾斜するように形成され、
上記装填対象は、
上記ロックレバー先端部が差し込まれる側の壁部の、上記装填位置の上記底と対向する端部が円弧状に形成された
ロック装置。
【請求項３】
装填位置に差入及び引出可能に装填される装填対象を上記装填位置にロックするためのロックレバーと、
上記ロックレバーのロックレバー先端部を、上記装填位置に装填された上記装填対象に差し込んで当該装填対象を上記装填位置にロックするためのロック位置と、上記装填対象から抜き出して上記装填位置に対する上記装填対象のロックを解除する解除位置とに変位させると共に、上記ロック位置に変位させた上記ロックレバー先端部に外部から直接外力が加えられたときには、当該ロックレバー先端部を上記ロック位置から退避させるように上記ロックレバーを支持する支持部と
を具え、
上記装填対象は、
上記ロックレバー先端部が差し込まれる側の壁部を、上記装填位置に設けられた壁部と対向させて当該装填位置に装填され、
上記ロックレバーは、
上記ロックレバー先端部に所定形状のロックレバー切欠部が、当該ロックレバー先端部が上記ロック位置に変位したときに上記装填位置の上記壁部と、当該装填位置に装填された上記装填対象の上記壁部との隙間に位置させて上記装填位置に対する上記装填対象の差入側に向けるように形成された
ロック装置。
【請求項４】
上記ロックレバーは、
上記ロックレバー先端部が上記ロック位置に変位したときに、当該ロックレバー先端部の上記装填位置に対する上記装填対象の差入側と対向する側が、上記装填位置の底に向かって傾斜するように形成された
請求項１又は請求項３に記載のロック装置。
【請求項５】
上記装填対象は、
上記ロックレバー先端部が差し込まれる側の壁部の、上記装填位置の底と対向する端部が円弧状に形成された
請求項１、請求項３又は請求項４に記載のロック装置。
【請求項６】
上記支持部は、
上記ロックレバーを一方向に回転させて上記ロックレバー先端部を上記ロック位置に変位させると共に、上記一方向とは逆の他方向に回転させて上記ロックレバー先端部を上記解除位置に変位させるように上記ロックレバーを回動可能に支持する
請求項２又は請求項３に記載のロック装置。
【請求項７】
上記ロックレバーを、上記ロックレバー先端部を上記ロック位置に変位させるように付勢する弾性体
を具える請求項１乃至請求項６の何れかに記載のロック装置。
【請求項８】
上記装填対象は、
上記装填位置へのロックを支援するためのロック支援レバーを一方向に回転させて内部に収納すると共に、上記一方向とは逆の他方向に回転させて、上記ロックレバー切欠部と同様形状のロック支援レバー切欠部が形成されたロック支援レバー先端部を上記壁部から突出させて上記差入側に向けるように上記ロック支援レバーを回動可能に支持し、
上記ロックレバーは、
上記装填位置に装填された上記装填対象の上記壁部から上記ロック支援レバー先端部が突出された状態で、上記ロックレバー先端部が上記ロック位置に変位すると、上記ロックレバー切欠部を、上記ロック支援レバー切欠部に重ねる
請求項３に記載のロック装置。
【請求項９】
上記ロック装置
を具える請求項１乃至請求項８の何れかに記載の現金自動取引装置。
【発明の詳細な説明】
【技術分野】
【０００１】
本発明はロック装置及び現金自動取引装置に関し、例えば、現金の預け入れ及び払い出しを行う現金自動預払機（ATM：Automatic  Teller  Machine）に適用して好適なものである。
【背景技術】
【０００２】
従来の現金自動取引装置には、紙幣入出金装置が内部の装填位置まで押し込むようにして装填され、また当該内部の装填位置から引き出すことができるように設けられている。
【０００３】
この場合、紙幣入出金装置は、本体部と、その本体部に離接自在に設けられたカセット収納部とを有している。またカセット収納部には、現金自動取引装置で取引される紙幣を補給及び回収用に収納するための紙幣収納カセットが着脱可能に装着されている。
【０００４】
さらにカセット収納部には、錠及びロックレバーを有するロック部が設けられている。ロック部の錠には、鍵穴に差し込まれる鍵の回転操作に連動して回転する偏芯カムが設けられている。
【０００５】
またロック部のロックレバーは、カセット収納部の側面に植設された軸に回動自在に支持され、一端部には現金自動取引装置の筐体に設けられた棒状のストッパと係合する爪が形成され、他端部には偏芯カムの周側面の一部に当接する当接板が設けられている。
【０００６】
そして現金自動取引装置は、内部の装填位置に紙幣入出金装置を装填する際、錠の鍵穴に差し込まれた鍵が一方向へ回転操作されると、その回転操作に連動した偏芯カムの回転により当接板を引き下げ、かつ爪を上げるようにロックレバーを回転させる。
【０００７】
これにより現金自動取引装置は、ロックレバーを爪がストッパとは係合しない第１姿勢にし、この状態で紙幣入出金装置を内部の装填位置まで押し込ませていた。
【０００８】
また現金自動取引装置は、紙幣入出金装置が内部の装填位置まで押し込まれた状態で、錠の鍵穴に差し込まれた鍵が他方向へ回転操作されると、その回転操作に連動した偏芯カムの回転により当接板を押し上げ、かつ爪を下げるようにロックレバーを回転させる。
【０００９】
これにより現金自動取引装置は、ロックレバーを第２姿勢にして爪をストッパに係合させることで、内部の装填位置に紙幣入出金装置をロックして（すなわち、内部の装填位置に紙幣入出金装置を、当該装填位置から引き出せないように止めて）いた。
【００１０】
さらに現金自動取引装置は、内部の装填位置から紙幣入出金装置を引き出す際、錠の鍵穴に差し込まれた鍵が一方向へ回転操作されると、その回転操作に連動した偏芯カムの回転により当接板を引き下げ、かつ爪を上げるようにロックレバーを回転させる。
【００１１】
これにより現金自動取引装置は、ロックレバーを第１姿勢にして爪をストッパから離間させることで、内部の装填位置に対する紙幣入出金装置のロックを解除し、この状態で当該内部の装填位置から紙幣入出金装置を引き出させるようにしていた。
【００１２】
このようにして現金自動取引装置は、内部の装填位置に紙幣入出金装置を装填させて紙幣収納カセットにより紙幣を補給させ、また内部の装填位置から紙幣入出金装置を引き出させて紙幣収納カセット内の紙幣を回収させていた（例えば、特許文献１参照）。
【先行技術文献】
【特許文献】
【００１３】
【特許文献１】特開平９−１１５０３１号公報（第２頁、第３頁、図１、図４）
【発明の概要】
【発明が解決しようとする課題】
【００１４】
ところが、従来の現金自動取引装置は、錠の鍵穴に差し込まれた鍵の回転操作でのみ、ロックレバーの姿勢を第１姿勢及び第２姿勢に切り換えていた。
【００１５】
このため、現金自動取引装置は、紙幣の補給の際、誤ってロックレバーを第２姿勢にしたまま、内部の装填位置に紙幣入出金装置が押し込まれた場合、ロックレバーの爪がストッパに衝突することになる。
【００１６】
そして現金自動取引装置では、この際、紙幣入出金装置が比較的強い力をかけて押し込まれていると、例えば、ロックレバーが破損して、当該装填位置に紙幣入出金装置をロックし得なくなるおそれがあるという問題があった。
【００１７】
本発明は以上の点を考慮してなされたもので、装填位置に対して装填対象を的確にロックし得るロック装置及び現金自動取引装置を提案しようとするものである。
【課題を解決するための手段】
【００１８】
かかる課題を解決するため本発明においては、装填位置に差入及び引出可能に装填される装填対象を装填位置にロックするためのロックレバーと、当該ロックレバーを一方向に回転させてロックレバー先端部を、装填位置に装填された装填対象に穿設されている孔に差し込んで当該装填対象を装填位置にロックするためのロック位置と、ロックレバーを一方向とは逆の他方向に回転させてロックレバー先端部を装填対象の孔から抜き出して装填位置に対する装填対象のロックを解除する解除位置とに変位させると共に、ロック位置に変位させたロックレバー先端部に外部から直接外力が加えられたときには、当該ロックレバー先端部をロック位置から退避させるようにロックレバーを回動可能に支持する支持部とを設け、支持部により、装填位置に装填対象が装填されたときの当該装填対象の孔の位置よりも、装填位置に対する装填対象の差入側でロックレバーを、ロックレバー根元部を介して回動可能に支持し、ロックレバーを、ロックレバー先端部がロック位置に変位したときに、当該ロックレバー先端部の少なくとも装填位置の底と対向する側を、当該底に向かって傾斜するように形成するようにした。
【００１９】
従って本発明では、ロックレバーのロックレバー先端部がロック位置に変位した状態で装填位置に装填対象が差し入れられても、ロックレバー先端部を装填対象の押し付けに応じてロック位置から退避させて、ロックレバーの破損を防止することができると共に、ロックレバー先端部をロック位置に変位させて装填位置にロックしていた装填対象が引き出そうとされたときにはロックレバー先端部に装填対象の孔を引っ掛けさせてロックの状態を維持することができる。
【発明の効果】
【００２０】
本発明によれば、装填位置に差入及び引出可能に装填される装填対象を装填位置にロックするためのロックレバーと、当該ロックレバーを一方向に回転させてロックレバー先端部を、装填位置に装填された装填対象に穿設されている孔に差し込んで当該装填対象を装填位置にロックするためのロック位置と、ロックレバーを一方向とは逆の他方向に回転させてロックレバー先端部を装填対象の孔から抜き出して装填位置に対する装填対象のロックを解除する解除位置とに変位させると共に、ロック位置に変位させたロックレバー先端部に外部から直接外力が加えられたときには、当該ロックレバー先端部をロック位置から退避させるようにロックレバーを回動可能に支持する支持部とを設け、支持部により、装填位置に装填対象が装填されたときの当該装填対象の孔の位置よりも、装填位置に対する装填対象の差入側でロックレバーを、ロックレバー根元部を介して回動可能に支持し、ロックレバーを、ロックレバー先端部がロック位置に変位したときに、当該ロックレバー先端部の少なくとも装填位置の底と対向する側を、当該底に向かって傾斜させるように形成することにより、ロックレバーのロックレバー先端部がロック位置に変位した状態で装填位置に装填対象が差し入れられても、ロックレバー先端部を装填対象の押し付けに応じてロック位置から退避させて、ロックレバーの破損を防止することができると共に、ロックレバー先端部をロック位置に変位させて装填位置にロックしていた装填対象が引き出そうとされたときにはロックレバー先端部に装填対象の孔を引っ掛けさせてロックの状態を維持することができ、かくして装填位置に対して装填対象を的確にロックし得るロック装置及び現金自動取引装置を実現することができる。
【図面の簡単な説明】
【００２１】
【図１】本発明による現金自動預払機の外観構成の一実施の形態を示す略線的斜視図である。
【図２】現金自動預払機の内部構成を示す略線図である。
【図３】現金収納部の構成を示す略線図である。
【図４】現金自動預払機からのカセット収納フレームの引き出しの説明に供する略線図である。
【図５】カセット収納フレームに対するカセットの出し入れの説明に供する略線図である。
【図６】第１の実施の形態によるロック部の構成を示す略線的断面図である。
【図７】ロック部によるカセット収納フレーム内へのカセットのロックの説明に供する略線的断面図である。
【図８】ロックレバーの退避の説明に供する略線的断面図である。
【図９】第２の実施の形態によるロック部の構成を示す略線的断面図である。
【図１０】差込物によってカセットのロックを解除しようとしたときのロックレバーによる解除の阻止の説明に供する略線的断面図である。
【図１１】第３の実施の形態によるロック支援部の構成を示す略線的断面図である。
【図１２】差込物によってカセットのロックを解除しようとしたときのロックレバー及びロック支援レバーによる解除の阻止の説明に供する略線的断面図である。
【図１３】他の実施の形態によるロック部の構成を示す略線的断面図である。
【図１４】他の実施の形態によるカセットのカセット長孔の構成示す略線的断面図である。
【発明を実施するための形態】
【００２２】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）第３の実施の形態
（４）他の実施の形態
【００２３】
（１）第１の実施の形態
（１−１）現金自動預払機の外観構成
図１において、１は全体として本発明を適用した現金自動預払機の外観構成を示す。かかる現金自動預払機１は、略箱型の装置筐体２を有している。
【００２４】
そして装置筐体２の前側上端部には、当該装置筐体２の前面２Ａよりも後面２Ｂ側に凹むように略Ｌ字状に形成されたフロントパネル３が設けられている。
【００２５】
因みに、以下の説明では、装置筐体２の前面２Ａを、装置前面２Ａとも呼び、当該装置筐体２の後面２Ｂを、装置後面２Ｂとも呼ぶ。
【００２６】
そして、以下の説明では、装置前面２Ａ及び装置後面２Ｂ間を装置奥行とも呼び、当該装置前面２Ａから装置後面２Ｂへ向かう方向（すなわち、後方向）を、適宜、装置奥行方向とも呼ぶ。
【００２７】
また、以下の説明では、装置筐体２の上面２Ｃを、装置上面２Ｃとも呼び、装置筐体２の下面及び装置上面２Ｃ間を装置高さとも呼ぶ。
【００２８】
そして、以下の説明では、装置筐体２の下面から装置上面２Ｃへ向かう方向（すなわち、上方向）を、適宜、装置高さ方向とも呼ぶ。
【００２９】
さらに、以下の説明では、装置筐体２をフロントパネル３と対峙して見た場合の左の側面２Ｄを、装置左側面２Ｄとも呼び、右の側面２Ｅを、装置右側面２Ｅとも呼び、装置左側面２Ｄ及び装置右側面２Ｅ間を装置幅とも呼ぶ。
【００３０】
そして、以下の説明では、装置左側面２Ｄから装置右側面２Ｅへ向かう方向を、右方向とも呼び、装置右側面２Ｅから装置左側面２Ｄへ向かう方向を、左方向とも呼び、これら左方向及び右方向を特には区別する必要のない場合、まとめて装置幅方向とも呼ぶ。
【００３１】
この場合、フロントパネル３において上側に向くほぼ水平な（すなわち、装置上面２Ｃとほぼ平行な）上向パネル３Ａには、例えば、中央部にタッチスクリーン４が設けられている。
【００３２】
またフロントパネル３の上向パネル３Ａには、例えば、装置左側面２Ｄ寄りに、硬貨を投入及び排出するための凹部でなる硬貨投入排出部５が設けられている。
【００３３】
さらにフロントパネル３の上向パネル３Ａには、例えば、装置右側面２Ｅ寄りに、長方形の紙幣を投入及び排出するための凹部でなる紙幣投入排出部６が設けられている。
【００３４】
因みに、タッチスクリーン４は、種々の操作画像を表示するための液晶ディスプレイ又は有機ＥＬ（Electro  Luminescence）ディスプレイのような表示部の表示面上に、操作入力用の透明なタッチパネルが貼着されて形成されている。
【００３５】
また硬貨投入排出部５及び紙幣投入排出部６の開口には、それぞれ取引内容に応じて当該開口を開放及び閉塞するためのシャッタが開閉自在に設けられている。
【００３６】
一方、フロントパネル３において前側に向くほぼ垂直な（すなわち、装置前面２Ａとほぼ平行な）前向パネル３Ｂには、例えば、装置左側面２Ｄ寄りに、通帳を挿入し、また当該通帳や取引明細書を排出するための通帳挿入排出口７が設けられている。
【００３７】
またフロントパネル３において前向パネル３Ｂには、例えば、装置右側面２Ｅ寄りに、キャッシュカードやクレジットカード等の種々のカードを挿入及び排出するためのカード挿入排出口８も設けられている。
【００３８】
因みに、装置筐体２の内部には、通帳挿入排出口７の奥側に、通帳に記録されている口座番号のような顧客情報等を読み取り、また取引内容等を通帳や取引明細書に印刷するための読取印刷処理部（図示せず）が設けられている。
【００３９】
また装置筐体２の内部には、カード挿入排出口８の奥側に、種々のカードに記録されている口座番号のような顧客情報等を読み取るためのカード処理部（図示せず）が設けられている。
【００４０】
現金自動預払機１は、係る構成のもと、タッチスクリーン４に操作画像を表示すると共に、顧客によるタッチスクリーン４の表面へのタッチ操作に応じて操作画像を適宜切り換えて表示する。
【００４１】
これにより現金自動預払機１は、顧客に操作画面を介して、現金の預け入れや引き出し等の所望の取り引きの手順を案内する。
【００４２】
そして現金自動預払機１は、顧客に、その案内に従って通帳挿入排出口７やカード挿入排出口８に通帳やカードを投入させ、また硬貨投入排出部５内や紙幣投入排出部６内に硬貨や紙幣を投入させる。
【００４３】
また現金自動預払機１は、顧客に、その案内に従って通帳挿入排出口７やカード挿入排出口８から排出した通帳や取引明細書、カードを受け取らせ、また硬貨投入排出部５や紙幣投入排出部６を介して硬貨や紙幣を受け取らせる。
【００４４】
このようにして現金自動預払機１は、顧客が所望する現金の預け入れや引き出し等の取り引きを行うことができる。
【００４５】
（１−２）現金自動預払機の内部構成
次いで、図２を用いて現金自動預払機１の内部構成について説明する。現金自動預払機１において装置筐体２の内部には、制御部１０が設けられ、当該制御部１０が装置全体を統括制御する。
【００４６】
これにより制御部１０は、例えば、顧客によりタッチスクリーン４の表面がタッチ操作され、所望の取り引きとして紙幣の預け入れが選択されると、タッチスクリーンに表示する操作画像を介して、通帳又はカードの挿入を案内する。
【００４７】
その結果、制御部１０は、通帳挿入排出口７又はカード挿入排出口８に通帳又はカードが挿入されると、読取印刷処理部又はカード処理部により通帳又はカードに記録されている顧客情報等を読み取るようにして例えば、顧客の口座番号を特定する。
【００４８】
そして制御部１０は、このように顧客の口座番号を特定すると、紙幣投入排出部６のシャッタを開いて、当該紙幣投入排出部６の開口を開放すると共に、タッチスクリーンに表示する操作画像を介して、紙幣投入排出部６内への紙幣の投入を案内する。
【００４９】
その結果、制御部１０は、紙幣投入排出部６内に預け入れ用に１又は複数の紙幣が挿入されると、その紙幣を１枚ずつ紙幣搬送路１１を介して鑑別部１２に搬送して、当該鑑別部１２において紙幣の金種及び状態を鑑別させる。
【００５０】
この際、制御部１０は、鑑別部１２において正常であると鑑別された紙幣については、紙幣搬送路１１を介して一時保留部１３に搬送して一時的に保持して預け入れを保留する。
【００５１】
また制御部１０は、鑑別部１２において、破損等により異常であると鑑別された紙幣については、紙幣搬送路１１を介して紙幣投入排出部６に搬送して顧客に返却する。
【００５２】
このようにして制御部１０は、鑑別部１２において、紙幣投入排出部６内に投入された紙幣が全て鑑別されると、正常であると鑑別された紙幣の金種から、預け入れを保留している紙幣の総額を計数する。
【００５３】
そして制御部１０は、タッチスクリーン４に表示した操作画像を介して顧客に、その計数した総額を提示する。その結果、制御部１０は、操作画像を介して預け入れの金額を確認した顧客により、タッチスクリーン４の表面がタッチ操作され、預け入れが指示されると、一時保留部１３に一時的に保持していた紙幣を１枚ずつ紙幣搬送路１１を介して鑑別部１２に戻す。
【００５４】
そして制御部１０は、鑑別部１２において再び紙幣の金種を鑑別させた後、当該金種が鑑別された紙幣を、収納取出用搬送路１４を介して現金収納部１５に搬送する。
【００５５】
これにより制御部１０は、現金収納部１５において所定の収納機構（図示せず）により、紙幣を、例えば、金種毎のカセット１６乃至１８のうち、鑑別された金種に応じたカセット１６乃至１８に収納する。
【００５６】
この際、制御部１０は、読取印刷処理部において通帳又は取引明細書に預け入れの金額を印刷して、当該金額を印刷した通帳又は取引明細書を通帳挿入排出口７から排出することにより、顧客に通帳を返却し、又は取引明細書を受け取らせる。
【００５７】
また制御部１０は、カード処理部に取り込んでいたカードをカード挿入排出口８から排出して顧客に返却する。このようにして制御部１０は、顧客の所望する取り引きとしての紙幣の預け入れを行うことができる。
【００５８】
因みに、制御部１０は、顧客により預け入れ用の現金として硬貨が硬貨投入排出部５に投入された場合には、その硬貨を図示しない硬貨搬送路を介して搬送しながら、上述した紙幣の場合と基本的には同様に処理する。
【００５９】
これにより制御部１０は、その硬貨を最終的には収納取出用搬送路１４を介して現金収納部１５に搬送する。これにより制御部１０は、現金収納部１５において収納機構により、硬貨を、その金種に応じたカセット１６乃至１８に収納する。
【００６０】
また制御部１０は、例えば、顧客によりタッチスクリーン４の表面がタッチ操作され、所望の取り引きとして現金の引き出しが選択されると、タッチスクリーンに表示する操作画像を介して、通帳及びカードの挿入を案内する。
【００６１】
その結果、制御部１０は、少なくともカードがカード挿入排出口８に挿入されると、カード処理部によりカードに記録されている顧客情報等を読み取るようにして例えば、顧客の口座番号を特定すると共に、預金残高を確認する。
【００６２】
そのうえで制御部１０は、顧客によりタッチスクリーン４の表面がタッチ操作され引出金額が指定されると、その指定された引出金額を預金残高と比較して、当該指定された引出金額分の現金の引き出しが可能であるか否かを判別する。
【００６３】
その結果、制御部１０は、預金残高が不足しており、指定された引出金額分の現金を引き出すことができない場合には、タッチスクリーン４に表示した操作画像を介して顧客に、預金残高を提示すると共に、引出金額分の現金の引き出しができないことを通知する。
【００６４】
これに対し制御部１０は、引出金額が預金金額内であると、現金収納部１５のカセット１６乃至１７から、指定された引出金額分の紙幣や硬貨を所定の取出機構（図示せず）を介して取り出す。
【００６５】
また制御部１０は、現金収納部１５のカセット１６乃至１８から取り出した紙幣や硬貨を、収納取出用搬送路１４と、紙幣搬送路１１や硬貨搬送路等とを順次介して紙幣投入排出部６や硬貨投入排出部５に搬送する。
【００６６】
そして制御部１０は、紙幣投入排出部６や硬貨投入排出部５のシャッタを開いて開口を開放することにより、当該紙幣投入排出部６や硬貨投入排出部５を介して顧客に、指定された引出金額分の紙幣や硬貨を受け取らせる。
【００６７】
この際、制御部１０は、カード処理部に取り込んでいたカードをカード挿入排出口８から排出して顧客に返却する。
【００６８】
また制御部１０は、このとき通帳挿入排出口７に通帳が挿入されていると、読取印刷処理部において当該通帳に引出金額、及び現金引出後の預金残高を印刷する。
【００６９】
これにより制御部１０は、引出金額、及び現金引出後の預金残高を印刷した通帳を通帳挿入排出口７から排出して顧客に返却する。
【００７０】
因みに、制御部１０は、このとき通帳挿入排出口７に通帳が挿入されていないと、読取印刷処理部において取引明細書に引出金額、及び現金引出後の預金残高を印刷する。
【００７１】
これにより制御部１０は、引出金額、及び現金引出後の預金残高を印刷した取引明細書を通帳挿入排出口７から排出して顧客に受け取らせる。このようにして制御部１０は、顧客の所望する取り引きとしての現金の引き出しを行うことができる。
【００７２】
（１−３）現金収納部の構成
次いで、現金自動預払機１の内部に設けられた現金収納部１５の構成について説明する。図２及び図３並びに図４に示すように、現金収納部１５は、例えば、装置筐体２の内部の下側に固定された箱形の収納部筐体２０を有している。
【００７３】
また現金収納部１５は、複数のカセット１６乃至１７を収納するためのカセット収納フレーム２１も有している。
【００７４】
この場合、収納部筐体２０の左側内面中央部には、装置筐体２の奥行よりも僅かに短い例えば、断面略コ字状の左側レールガイド２２が、溝部を右側に向け、かつ左側レールガイド２２の長手方向を装置奥行方向と平行にして配置されている。
【００７５】
また収納部筐体２０の右側内面中央部には、左側レールガイド２２と等しい長さ及び形状を有する右側レールガイド２３が、溝部を左側に向けて左側レールガイド２２と対向させ、かつ右側レールガイド２３の長手方向を装置奥行方向と平行にして配置されている。
【００７６】
一方、カセット収納フレーム２１は、箱型に組まれた枠部に対し例えば、少なくとも底を閉塞するように板が取り付けられると共に、左右の開口部をそれぞれ閉塞するように壁部が設けられ、上端に開口部を有するように形成されている。
【００７７】
因みに、以下の説明では、カセット収納フレーム２１において底の開口部を閉塞するように設けられた板を、底板とも呼ぶ。
【００７８】
また、以下の説明では、カセット収納フレーム２１において左の開口部を閉塞するように設けられた壁部を、フレーム左側壁とも呼び、右の開口部を閉塞するように設けられた壁部を、フレーム右側壁とも呼ぶ。
【００７９】
カセット収納フレーム２１は、幅（すなわち、装置幅方向の長さ）が、収納部筐体２０の幅よりも狭いものの、カセット１６乃至１８の幅（すなわち、装置幅方向の長さ）よりも僅かに広く選定されている。
【００８０】
またカセット収納フレーム２１は、奥行（すなわち、装置奥行方向の長さ）が、収納部筐体２０の奥行よりも僅かに短いものの、カセット１６乃至１８の奥行（すなわち、装置奥行方向の長さ）数個分よりも僅かに長く選定されている。
【００８１】
さらにカセット収納フレーム２１は、高さ（すなわち、装置高さ方向の長さ）が、収納部筐体２０の高さよりも低いものの、カセット１６乃至１８の高さ（すなわち、装置高さ方向の長さ）よりも僅かに高く選定されている。
【００８２】
これによりカセット収納フレーム２１は、上端の開口部から複数のカセット１６乃至１８を例えば、置奥行方向に沿って１列に並べるようにして内部に収納させる。
【００８３】
またカセット収納フレーム２１の左側面（すなわち、フレーム左側壁の外面であり、以下、これをフレーム左側面とも呼ぶ）２１Ａには、底面から所定の高さ位置に左側可動レール２４が、当該左側可動レール２４の長手方向を装置奥行方向と平行にして配置されている。
【００８４】
またカセット収納フレーム２１の右側面（すなわち、フレーム右側壁の外面であり、以下、これをフレーム右側面とも呼ぶ）２１Ｂには、底面から左側可動レール２４と同様の高さ位置に右側可動レール２５が、当該右側可動レール２５の長手方向を装置奥行方向と平行にして配置されている。
【００８５】
さらにカセット収納フレーム２１は、左側レールガイド２２の溝部に左側可動レール２４が挿入されると共に、右側レールガイド２３に右側可動レール２５が挿入されている。
【００８６】
これにより現金収納部１５は、収納部筐体２０に左側レールガイド２２及び左側可動レール２４と、右側レールガイド２３及び右側可動レール２５とを介してカセット収納フレーム２１を後方向及び前方向にスライド自在に保持している。
【００８７】
ところで、左側可動レール２４は、左側レールガイド２２とほぼ等しい長さを有する１本のレールとして形成され、又は少なくとも２本以上のレールを伸縮可能に組み合わせて伸長時には左側レールガイド２２よりも長くなるように形成されている。
【００８８】
また右側可動レール２５についても、左側可動レール２４と同様に、１本のレールとして、又は少なくとも２本以上のレールを伸縮可能に組み合わせて、当該左側可動レール２４と等しい長さを有するように形成されている。
【００８９】
よって現金自動預払機１は、当該現金自動預払機１に対する種々の作業が許可された作業者により、装置筐体２に設けられた図示しない後扉が開かれた場合、当該作業者に収納部筐体２０の内部からカセット収納フレーム２１全体を装置筐体２の外部（すなわち、装置筐体２の後側）に引き出させることができる。
【００９０】
これにより図５（Ａ）及び（Ｂ）に示すように、現金自動預払機１は、作業者に装置筐体２の外部においてカセット収納フレーム２１の上端の開口部から複数のカセット１６乃至１８を下方向に差し入れさせるようにして内部に装填させることができる。
【００９１】
また現金自動預払機１は、作業者に装置筐体２の外部においてカセット収納フレーム２１の内部から複数のカセット１６乃至１８を上方向に持ち上げさせるようにして上端の開口部を介して外部に取り出させることができる。
【００９２】
そして現金自動預払機１は、作業者により装置筐体２の後側からカセット収納フレーム２１が収納部筐体２０の内部に差し入れられると、当該収納部筐体２０の内部にカセット収納フレーム２１全体を収納する。この状態で現金自動預払機１は、作業者に装置筐体２の後扉を閉じさせる。
【００９３】
これにより現金自動預払機１は、内部の現金収納部１５において、カセット収納フレーム２１に装填されたカセット１６乃至１８と共に、当該カセット１６乃至１８内の現金を保護することができる。
【００９４】
このようにして現金自動預払機１は、現金収納部１５に対するカセット収納フレーム２１の差入及び引出に応じてカセット１６乃至１８を用いて現金の補給及び回収を行わせることができると共に、当該現金収納部１５内では現金を保護することができる。
【００９５】
ところで、カセット１６乃至１８（図２乃至図５）は、上端部に略コ字状のハンドル２６乃至２８が折り畳み可能に設けられている。
【００９６】
これによりカセット１６乃至１８は、ハンドル２６乃至２８が上端部から上側に引き起こされた場合、そのハンドル２６乃至２８を持たせてカセット収納フレーム２１に対して容易に出し入れさせることができる。
【００９７】
またカセット１６乃至１８は、上端部にハンドル２６乃至２８の形状に応じた切欠部が形成されている。よってカセット１６乃至１８は、ハンドル２６乃至２８が折り畳まれた場合に、当該ハンドル２６乃至２８を切欠部内に収納して全体が略直方体状になるようにハンドル２６乃至２８と一体化する。
【００９８】
これによりカセット１６乃至１８は、カセット収納フレーム２１内における当該カセット１６乃至１８の収納空間を極力小さくして、当該カセット収納フレーム２１と共に現金自動預払機１が大型化することを回避している。
【００９９】
（１−４）ロック部の構成
係る構成に加えて、カセット収納フレーム２１（図３乃至図５）の例えば、フレーム右側面２１Ｂ下寄りには、当該カセット収納フレーム２１の前端近傍から後端近傍に亘り複数のロック部を一括して保護するための細長い箱型の保護カバー３０が配置されている。
【０１００】
この場合、複数のロック部は、カセット収納フレーム２１内に１列に並ぶ複数のカセット１６乃至１８の例えば、右側面（以下、これをカセット右側面とも呼ぶ）後寄りと対向する位置に設けられている。
【０１０１】
そして複数のロック部は、それぞれ同様に構成されている。またカセット収納フレーム２１内に１列に並ぶ複数のカセット１６乃至１８も同様に構成されている。
【０１０２】
よって以下には、１つのロック部の構成を、１つのカセット１６の対応する構成と共に説明し、他のロック部の構成、及び他のカセット１７及び１８の対応する構成については説明を省略する。
【０１０３】
図６（Ａ）及び（Ｂ）に示すように、ロック部３１は、保護カバー３０内に、ロックレバー３２支持用のレバー支持面３３Ａを後側に向けて、当該保護カバー３０の内部空間を区切るように設けられたレバー支持板３３を有している。
【０１０４】
レバー支持板３３のレバー支持面３３Ａには、上側所定位置に、ロックレバー３２の回動用のレバー回動軸３４が後方向と平行に植設されている。
【０１０５】
ロックレバー３２は、カセット１６をカセット収納フレーム２１内の装填位置にロックする（すなわち、カセット収納フレーム２１内の装填位置にカセット１６を、当該装填位置から引き出せないように止める）ためのものである。
【０１０６】
そしてロックレバー３２は、根元部３２Ａに対し先端部３２Ｂを鈍角（すなわち、くの字状）に屈曲させたような平板状に形成されている。
【０１０７】
因みに、以下の説明では、平板でなるロックレバー３２において曲がりの内側の側面を、内側面とも呼び、当該内側面において根元部３２Ａの部分を特に根元部内側面３２ＡＷとも呼び、先端部３２Ｂの部分を特に先端部内側面３２ＢＷとも呼ぶ。
【０１０８】
また、以下の説明では、平板でなるロックレバー３２において曲がりの外側の側面を、外側面とも呼び、当該外側面において根元部３２Ａの部分を特に根元部外側面３２ＡＸとも呼び、先端部３２Ｂの部分を特に先端部外側面３２ＢＸとも呼ぶ。
【０１０９】
ロックレバー３２は、根元部３２Ａにおいて端面３２ＡＹ寄りに一面から他面に貫通する円形の孔３２ＡＺが穿設されている。
【０１１０】
そしてロックレバー３２は、内側面を左側に向けるようにして孔３２ＡＺに他面側からレバー回動軸３４が挿入されている。
【０１１１】
これによりレバー支持板３３は、ロックレバー３２を、レバー回動軸３４を中心にして一方向（図面上では反時計回り方向）及び他方向（図面上では時計回り方向）に回動可能に支持している。
【０１１２】
ところで、ロックレバー３２は、例えば、図示しないコイルばねや板ばね等のような弾性体により一方向に回転する（すなわち、先端部３２Ｂをカセット収納フレーム２１のフレーム右側面２１Ｂ側に変位させる）ように付勢されている。
【０１１３】
ただし、ロックレバー３２において根元部３２Ａと先端部３２Ｂとの境界部分には、当該ロックレバー３２の一方向への回転角度を規制するための略四角形状の回転規制部３２Ｃが、その境界部分から先端部３２Ｂ側に張り出すように設けられている。
【０１１４】
そしてロックレバー３２の内側面において回転規制部３２Ｃの部分は、一部が例えば、根元部内側面３２ＡＷと平行に形成されている。
【０１１５】
因みに、以下の説明では、内側面において回転規制部３２Ｃの部分の、根元部内側面３２ＡＷと平行に形成されている一部を、特に規制部内側面３２ＣＷとも呼ぶ。
【０１１６】
これによりロックレバー３２は、弾性体の付勢によって一方向へ回転しても、根元部内側面３２ＡＷがフレーム右側面２１Ｂと平行になった時点で回転規制部３２Ｃの規制部内側面３２ＣＷを当該フレーム右側面２１Ｂに付き当てて回転を停止させる。
【０１１７】
このようにしてロックレバー３２において回転規制部３２Ｃは、当該ロックレバー３２の一方向への回転を、根元部内側面３２ＡＷがフレーム右側面２１Ｂと平行になった姿勢よりも、さらに一方向へは回転させないように規制している。
【０１１８】
またロックレバー３２は、規制部内側面３２ＣＷをフレーム右側面２１Ｂに付き当てた状態で、当該規制部内側面３２ＣＷよりも先端部３２Ｂの端面３２ＢＹ部分が左斜下側に突出するように先端部３２Ｂの長さが適宜選定されている。
【０１１９】
さらにカセット収納フレーム２１のフレーム右側壁には、ロックレバー３２が回動した際の先端部３２Ｂの変位の軌跡に対応させて長孔２１ＢＸが、当該長孔２１ＢＸの長手方向を上方向と平行にしてフレーム右側壁を貫通するように穿設されている。
【０１２０】
さらにまたカセット１６の右側壁１６Ａにも、ロックレバー３２が回動した際の先端部３２Ｂの変位の軌跡に対応させて長孔１６ＡＸが、当該長孔１６ＡＸの長手方向を上方向と平行にして右側壁１６Ａを貫通するように穿設されている。
【０１２１】
因みに、以下の説明では、カセット収納フレーム２１の長孔２１ＢＸを、フレーム長孔２１ＢＸとも呼び、カセット１６の長孔１６ＡＸを、カセット長孔１６ＡＸとも呼ぶ。また、以下の説明では、カセット１６の右側壁１６Ａを、カセット右側壁１６Ａとも呼ぶ。
【０１２２】
これによりロックレバー３２は、一方向への回転に伴い先端部３２Ｂをカセット収納フレーム２１のフレーム右側面２１Ｂ側に変位させて規制部内側面３２ＣＷをフレーム右側面２１Ｂに付き当てた場合、先端部３２Ｂをフレーム長孔２１ＢＸ及びカセット長孔１６ＡＸに順次通してカセット１６の内部に差し込むことができる。
【０１２３】
またレバー支持板３３のレバー支持面３３Ａには、ロックレバー３２の規制部内側面３２ＣＷがフレーム右側面２１Ｂに付き当てられた場合に、フレーム右側面２１Ｂよりも根元部内側面３２ＡＷに近接するような所定位置に、偏芯カム３５の回動用のカム回動軸３６が後方向と平行に植設されている。
【０１２４】
さらに偏芯カム３５は、円板状に形成されると共に、一面の中心からずれた位置に当該一面から他面に貫通する孔３５Ａが穿設されている。そして偏芯カム３５は、孔３５Ａに他面側からカム回動軸３６が挿入されている。
【０１２５】
これによりレバー支持板３３は、偏芯カム３５を、カム回動軸３６を中心にして一方向及び他方向に回動可能に支持している。
【０１２６】
ただし、例えば、保護カバー３０には、図示しない錠と、当該錠の鍵穴に鍵が差し込まれて回転操作された場合に、鍵の回転に連動させてカム回動軸３６と共に偏芯カム３５を回動させる図示しないカム回動機構とが設けられている。
【０１２７】
因みに、保護カバー３０には、複数のロック部３１に対し１組の錠及びカム回動機構、又はロック部３１毎に１組の錠及びカム回動機構が設けられている。
【０１２８】
そして複数のロック部３１に対し１組の錠及びカム回動機構が設けられている場合、作業者により錠の鍵穴に鍵が差し込まれて回転操作されると、これに応じてカム回動機構が複数のロック部３１においてカム回動軸３６と共に偏芯カム３５を一括して回転させる。
【０１２９】
またロック部３１毎に１組の錠及びカム回動機構が設けられている場合、作業者により何れかの錠の鍵穴に鍵が差し込まれて回転操作されると、これに応じてカム回動機構が対応するロック部３１でのみカム回動軸３６と共に偏芯カム３５を回転させる。
【０１３０】
実際に錠については、作業者により鍵穴に鍵が差し込まれた場合、当該鍵を例えば、１８０度の鍵回動範囲で時計回り方向及び反時計回り方向に回転させることができる。
【０１３１】
そしてカム回動機構は、錠の鍵穴に差し込まれた鍵が鍵回動範囲において例えば、時計回り方向に目一杯回転した場合、カム回動軸３６と共に偏芯カム３５を例えば、１８０度のカム回動範囲で他方向へ目一杯回転させる。
【０１３２】
これにより偏芯カム３５は、一周に亘る周側面の中でカム回動軸３６との距離が最も長い部分（以下、これを周側面軸離隔部分とも呼ぶ）３５ＡＹを右方向（すなわち、ロックレバー３２の根元部内側面３２ＡＷ側）に向ける。
【０１３３】
またカム回動機構は、錠の鍵穴に差し込まれた鍵が鍵回動範囲において例えば、反時計回り方向に目一杯回転した場合、カム回動軸３６と共に偏芯カム３５をカム回動範囲で一方向へ目一杯回転させる。
【０１３４】
これにより偏芯カム３５は、一周に亘る周側面の中でカム回動軸３６との距離が最も短い部分（以下、これを周側面軸近接部分とも呼ぶ）３５ＡＸを右方向（すなわち、ロックレバー３２の根元部内側面３２ＡＷ側）に向ける。
【０１３５】
そして偏芯カム３５は、周側面軸近接部分３５ＡＸを右方向へ向けた場合にロックレバー３２の根元部内側面３２ＡＷに近接又は当接させて、当該ロックレバー３２の規制部内側面３２ＣＷをフレーム右側面２１Ｂに付き当てさせるように、直径と孔３５Ａの穿設位置とが適宜選定されている。
【０１３６】
よってロック部３１は、錠の鍵穴に差し込まれた鍵の回転操作に連動して偏芯カム３５が他方向に回転すると、当該偏芯カム３５の周側面においてロックレバー３２の根元部内側面３２ＡＷとの接触部分を、周側面軸近接部分３５ＡＸから周側面軸離隔部分３５ＡＹ側へ徐々に変位させる。
【０１３７】
これによりロック部３１は、偏芯カム３５の他方向への回転に応じて、弾性体により付勢されているロックレバー３２を他方向へ押し戻すように回転させて、当該ロックレバー３２の先端部３２Ｂをカセット１６の内部から徐々に退出させるように変位させる。
【０１３８】
そしてロック部３１は、偏芯カム３５がカム回動範囲で他方向へ目一杯回転して周側面軸離隔部分３５ＡＹを右方向へ向けた場合、ロックレバー３２の先端部３２Ｂを、カセット１６の内部、カセット長孔１６ＡＸ及びフレーム長孔２１ＢＸの全てから抜き出す。
【０１３９】
すなわち、ロック部３１は、偏芯カム３５の周側面軸離隔部分３５ＡＹを右方向へ向けた場合、ロックレバー３２の先端部３２Ｂを、カセット収納フレーム２１内から抜き出して、当該カセット収納フレーム２１内へのカセット１６のロックを解除するための解除位置に変位させる。
【０１４０】
因みに、以下の説明では、ロックレバー３２を他方向に回転させて、先端部３２Ｂをカセット収納フレーム２１内から抜き出すようにして解除位置に変位させたときの当該ロックレバー３２の姿勢を、ロック解除姿勢とも呼ぶ。
【０１４１】
このようにしてロック部３１は、ロックレバー３２をロック解除姿勢にした状態では、カセット収納フレーム２１に対し上端の開口部からカセット１６を、ロックレバー３２に何ら接触させることなく下方向に差し入れさせるように装填させることができる。
【０１４２】
またロック部３１は、ロックレバー３２をロック解除姿勢にした状態では、カセット収納フレーム２１内からカセット１６をロックレバー３２に何ら接触させることなく上方向に持ち上げさせるようにして外部に引き出させることができる。
【０１４３】
一方、ロック部３１は、ロックレバー３２をロック解除姿勢にしてカセット収納フレーム２１内にカセット１６が装填された状態で、錠の鍵穴に差し込まれた鍵の回転操作に連動して偏芯カム３５が一方向に回転すると、当該偏芯カム３５の周側面においてロックレバー３２の根元部内側面３２ＡＷとの接触部分を、周側面軸離隔部分３５ＡＹから周側面軸近接部分３５ＡＸ側へ徐々に変位させる。
【０１４４】
よってロック部３１は、偏芯カム３５の一方向への回転に応じて、弾性体の付勢に従いロックレバー３２をロック解除姿勢から一方向に回転させて、先端部３２Ｂをフレーム長孔２１ＢＸ及びカセット長孔１６ＡＸに順次通すように変位させる。
【０１４５】
そしてロック部３１は、偏芯カム３５がカム回動範囲で一方向へ目一杯回転して周側面軸近接部分３５ＡＸを右方向へ向けた場合には、ロックレバー３２の規制部内側面３２ＣＷをフレーム右側面２１Ｂに付き当てさせる。
【０１４６】
これによりロック部３１は、ロックレバー３２の先端部３２Ｂを、フレーム長孔２１ＢＸ及びカセット長孔１６ＡＸに順次通してカセット１６の内部に差し込む。
【０１４７】
すなわち、ロック部３１は、偏芯カム３５の周側面軸近接部分３５ＡＸを右方向へ向けた場合、ロックレバー３２の先端部３２Ｂを、カセット収納フレーム２１内のカセット１６の内部に差し込んで当該カセット収納フレーム２１内にカセット１６をロックするためのロック位置に変位させる。
【０１４８】
因みに、以下の説明では、ロックレバー３２を一方向に回転させて、先端部３２Ｂをカセット収納フレーム２１内のカセット１６の内部に差し込むようにしてロック位置に変位させたときの当該ロックレバー３２の姿勢を、ロック可能姿勢とも呼ぶ。
【０１４９】
そして図７に示すように、ロック部３１は、ロックレバー３２をロック可能姿勢にした状態で、カセット収納フレーム２１内のカセット１６が上方向に持ち上げられると、当該ロックレバー３２の先端部外側面３２ＢＸにおいて端面３２ＢＹ寄りの部分に、カセット長孔１６ＡＸの下内面を付き当てるように引っ掛けさせることができる。
【０１５０】
これによりロック部３１は、ロック可能姿勢のロックレバー３２により、カセット１６をカセット収納フレーム２１内の装填位置にロックする（すなわち、カセット収納フレーム２１内の装填位置にカセット１６を、当該装填位置から上方向には引き出せないように止める）ことができる。
【０１５１】
ここで、ロック部３１は、ロックレバー３２をロック可能姿勢にした場合、当該ロックレバー３２の先端部３２Ｂを、当該先端部３２Ｂの長手方向が左斜下方向と平行となるように傾斜させている。
【０１５２】
よってロック部３１は、ロックレバー３２をロック可能姿勢にした状態で、カセット収納フレーム２１内のカセット１６が上方向に持ち上げられた場合、当該ロックレバー３２の先端部外側面３２ＢＸに、カセット長孔１６ＡＸの下内面を容易に、かつ確実に引っ掛けさせることができる。
【０１５３】
そしてロック部３１は、係る状態では、ロックレバー３２の先端部外側面３２ＢＸにおいて端面３２ＢＹ寄りの部分を、カセット１６の内部においてカセット長孔１６ＡＸの下内面よりもカセット１６内の左斜下側に突出させている。
【０１５４】
これによりロック部３１は、係る状態からカセット１６に、さらに上方向に持ち上げるような外力が加えられても、ロックレバー３２に対するカセット１６の引っ掛かりが外れないようにして、当該カセット１６をカセット収納フレーム２１内の装填位置に確実にロックし続けることができる。
【０１５５】
因みに、ロックレバー３２は、先端部３２Ｂの端面３２ＢＹが根元部内側面３２ＡＷと平行（すなわち、先端部３２Ｂがロック位置に変位したときにカセット右側壁１６Ａの内面と平行）となるように形成されている。
【０１５６】
このためロックレバー３２は、先端部３２Ｂがカセット１６の内部に差し込まれても、その差込部分の長さを極力短くして、当該カセット１６の内部を現金の収納スペースとして有効に活用させることができる。
【０１５７】
またカセット１６においてカセット長孔１６ＡＸは、長さが極力短く選定されると共に、下内面がロックレバー３２のロック可能姿勢での先端部外側面３２ＢＸと極力近接するように、穿設位置が選定されている。
【０１５８】
これによりカセット１６は、カセット収納フレーム２１内から僅かに持ち上げられただけで、カセット長孔１６ＡＸの下内面をロックレバー３２の先端部外側面３２ＢＸに付き当てさせることができる。
【０１５９】
すなわち、カセット１６は、上に持ち上げるような外力が持ち上げ距離の増加に伴い増大する前に、カセット長孔１６ＡＸの下内面をロックレバー３２の先端部外側面３２ＢＸに付き当てさせることができる。
【０１６０】
よってカセット１６は、上方向に持ち上げるような外力が持ち上げ距離の増加に伴い増大して、カセット長孔１６ＡＸの下内面がロックレバー３２の先端部外側面３２ＢＸに勢い良く付き当てられることを回避して、当該ロックレバー３２の破損を防止することができる。
【０１６１】
ところで、図８に示すように、ロック部３１は、ロックレバー３２の一方向への回転に、弾性体の付勢を利用している。
【０１６２】
そしてロック部３１は、ロックレバー３２をロック可能姿勢にした場合、弾性体の付勢以外に、偏芯カム３５等により当該ロックレバー３２をロック可能姿勢に止めるような機構は何ら設けられていない。
【０１６３】
このため、ロック部３１は、ロックレバー３２をロック可能姿勢にした場合、偏芯カム３５の他方向への回転を利用しなくても、ロックレバー３２の先端部３２Ｂに弾性体の付勢力を上回るような外力が直接加えられると、当該ロックレバー３２を他方向へ押し戻すように回転させることができる。
【０１６４】
従ってロック部３１は、ロックレバー３２を誤ってロック可能姿勢にした状態でカセット収納フレーム２１内にカセット１６が差し入れられても、当該ロックレバー３２の先端部内側面３２ＢＷにおいて端面３２ＢＹ寄りの部分に、カセット１６の右下端部１６Ｘが押し付けられると、その押し付けに応じてロックレバー３２を他方向へ押し戻すように回転させることができる。因みに、以下の説明では、カセット１６の右下端部１６Ｘを、カセット右下端部１６Ｘとも呼ぶ。
【０１６５】
これによりロック部３１は、ロックレバー３２の先端部３２Ｂをロック位置から、少なくとも端面３２ＢＹ部分がカセット１６のカセット右側面に接触する位置まで退避させる。
【０１６６】
そしてロック部３１は、このようにロックレバー３２の先端部３２Ｂをロック位置から退避させても、カセット収納フレーム２１内でカセット１６が下方向にさらに移動して当該先端部３２Ｂとの対向位置にカセット長孔１６ＡＸが到達すると、ロックレバー３２を弾性体の付勢に従い一方向に回転させる。
【０１６７】
これによりロック部３１は、ロックレバー３２の先端部３２Ｂを、フレーム長孔２１ＢＸ及びカセット長孔１６ＡＸに順次通してカセット１６の内部に差し込むようにして、カセット収納フレーム２１内にカセット１６をロックする。
【０１６８】
このようにしてロック部３１は、ロックレバー３２を誤ってロック可能姿勢にした状態でカセット収納フレーム２１内にカセット１６が差し入れられても、ロックレバー３２の先端部３２Ｂをカセット１６の押し付けに応じて一旦はロック位置から退避させて、当該ロックレバー３２の破損を防止することができる。
【０１６９】
その上でロック部３１は、カセット１６がカセット収納フレーム２１内の装填位置まで差し込まれたときには、ロックレバー３２を一方向に回転させて再びロック可能姿勢に戻すことにより、カセット収納フレーム２１内にカセット１６をロックすることができる。
【０１７０】
ところで、カセット１６においてカセット右下端部１６Ｘは、カセット右側壁１６Ａの下端部から下板１６Ｂの右端部にかけて円弧状に形成されている。
【０１７１】
よってカセット１６は、カセット収納フレーム２１内に例えば、誤って落下させられる等してカセット右下端部１６Ｘがロックレバー３２の先端部内側面３２ＢＷに衝突しても、当該先端部内側面３２ＢＷに対して円弧状のカセット右下端部１６Ｘを滑らせるようにして、衝突時の力が先端部内側面３２ＢＷの一点に集中することを防止している。
【０１７２】
これによりカセット１６は、カセット収納フレーム２１内への装填時に、カセット右下端部１６Ｘがロックレバー３２の先端部内側面３２ＢＷに勢い良く衝突しても、当該ロックレバー３２が破損（変形や傷付くこと）を確実に防止することができる。
【０１７３】
（１−５）第１の実施の形態の動作及び効果
以上の構成において、現金自動預払機１は、ロック部３１においてロックレバー３２を一方向及び他方向に回動可能に支持する。
【０１７４】
そして現金自動預払機１は、カセット収納フレーム２１内にカセット１６乃至１８が装填された状態で作業者により鍵が回転操作されると、その回転操作に応じてロックレバー３２を一方向に回転させる。
【０１７５】
これにより現金自動預払機１は、ロックレバー３２の先端部３２Ｂをカセット１６乃至１８内に差し込んでロック位置に変位させる。
【０１７６】
このようにして現金自動預払機１は、カセット１６乃至１８内に差し込んだロックレバー３２によって、当該カセット１６乃至１８をカセット収納フレーム２１内の装填位置に、当該装填位置から外部には引き出せないようにロック（止めるように）する。
【０１７７】
また現金自動預払機１は、カセット収納フレーム２１に対しカセット１６乃至１８をロックした状態で作業者により鍵が回転操作されると、その回転操作に連動してロックレバー３２を一方向に回転させる。
【０１７８】
これにより現金自動預払機１は、ロックレバー３２の先端部３２Ｂをカセット１６乃至１８内、及びカセット収納フレーム２１内から順次引き抜いて解除位置に変位させる。
【０１７９】
このようにして現金自動預払機１は、カセット収納フレーム２１に対するカセット１６乃至１８のロックを解除して、カセット収納フレーム２１内からカセット１６乃至１８を引き出させ、またカセット収納フレーム２１内に新たなカセット１６乃至１８を差し入れるように装填させる。
【０１８０】
ただし、現金自動預払機１は、ロック部３１においてロックレバー３２の先端部３２Ｂをロック位置に変位させた状態で、当該先端部３２Ｂにロックレバー３２を他方向へ回転させるような外力が直接加えられたときには、当該ロックレバー３２を他方向へ回転させるように支持している。
【０１８１】
従って、現金自動預払機１は、ロック部３１においてロックレバー３２の先端部３２Ｂをロック位置に変位させた状態でカセット収納フレーム２１内にカセット１６乃至１８が差し入れられると、ロックレバー３２の先端部３２Ｂに対するカセット１６乃至１８のカセット右下端部の押し付けによりロックレバー３２を他方向へ押し戻すように回転させる。
【０１８２】
これにより現金自動預払機１は、ロック部３１においてロックレバー３２の先端部３２Ｂをロック位置から少なくともカセット１６乃至１８のカセット右側面に接触する位置まで退避させて、ロックレバー３２の破損を防止することができる。
【０１８３】
以上の構成によれば、現金自動預払機１は、ロック部３１においてロックレバー３２の先端部３２Ｂを、カセット収納フレーム２１内に差し込んでロック位置に変位させ、またカセット収納フレーム２１内から引き抜いて解除位置に変位させると共に、ロック位置に変位させた先端部３２Ｂにロックレバー３２を他方向へ回転させるような外力が直接加えられたときには、当該ロックレバー３２を他方向へ回転させて先端部３２Ｂをロック位置から退避させるようにロックレバー３２を回動可能に支持するようにした。
【０１８４】
これにより現金自動預払機１は、ロック部３１においてロックレバー３２の先端部３２Ｂをロック位置に変位させた状態でカセット収納フレーム２１内にカセット１６乃至１８が差し入れられても、先端部３２Ｂをカセット１６乃至１８の押し付けに応じてロック位置から退避させて、ロックレバー３２の破損を防止することができる。
【０１８５】
従って現金自動預払機１は、ロックレバー３２の先端部３２Ｂをロック位置に変位させた状態でカセット収納フレーム２１内の装填位置にカセット１６乃至１８が装填されても、ロックレバー３２により当該装填位置にカセット１６乃至１８を的確にロックすることができる。
【０１８６】
これに加えて現金自動預払機１は、このようにロック部３１においてロックレバー３２の先端部３２Ｂをロック位置に変位させた状態でカセット収納フレーム２１内にカセット１６乃至１８が差し入れられた場合に、先端部３２Ｂをカセット１６乃至１８の押し付けに応じてロック位置から退避させることで、カセット１６乃至１８の右下端部の破損も合わせて防止することができる。
【０１８７】
また現金自動預払機１では、ロックレバー３２を根元部３２Ａに対し先端部３２Ｂを鈍角（すなわち、くの字状）に屈曲させたような平板状に形成するようにした。
【０１８８】
すなわち、現金自動預払機１では、ロックレバー３２の先端部３２Ｂにおいて、ロック位置に変位させたときにカセット収納フレーム２１の上端の開口部（すなわち、カセット１６乃至１８の差込側）と対向する先端部内側面３２ＢＷを、当該カセット収納フレーム２１の底に向かって傾斜するように形成した。
【０１８９】
そして現金自動預払機１は、そのロックレバー３２を一方向に回転させて、根元部３２Ａの下側となる先端部３２Ｂをカセット収納フレーム２１内に左斜下側に向けて差し込むようにしてロック位置に変位させるようにした。
【０１９０】
さらに現金自動預払機１は、カセット収納フレーム２１に対し上端の開口部からカセット１６乃至１８を内部に差し入れさせて装填させるようにした。
【０１９１】
従って現金自動預払機１は、ロックレバー３２の先端部３２Ｂをロック位置に変位させた状態でカセット収納フレーム２１内にカセット１６乃至１８が差し入れられた場合、先端部内側面３２ＢＷに押し付けられたカセット右下端部を、当該カセット１６乃至１８の進行に応じて先端部内側面３２ＢＷに対して滑らせるようにして、カセット右下端部によりロックレバー３２を他方向へ押し戻すように回転させることができる。
【０１９２】
これにより現金自動預払機１は、カセット収納フレーム２１内にカセット１６乃至１８が落下させられるように差し入れられて先端部内側面３２ＢＷにカセット右下端部が衝突しても、衝突時の力が先端部内側面３２ＢＷの一点に集中することを回避して、ロックレバー３２の破損をほぼ確実に防止することができる。
【０１９３】
現金自動預払機１は、係る効果に加え、ロックレバー３２の先端部内側面３２ＢＷに押し付けられたカセット右下端部を、カセット１６乃至１８の進行に応じて先端部内側面３２ＢＷに対して滑らせることで、カセット右下端部に対し先端部内側面３２ＢＷへの衝突時に加わる力を分散させて、カセット１６乃至１８のカセット右下端部の破損もほぼ確実に防止することができる。
【０１９４】
これに加えて現金自動預払機１では、カセット１６乃至１８においてカセット右下端部をカセット右側壁の下端部から下板の右端部にかけて円弧状に形成するようにした。
【０１９５】
よって現金自動預払機１は、ロックレバー３２の先端部３２Ｂをロック位置に変位させた状態でカセット収納フレーム２１内にカセット１６乃至１８が差し入れられた場合、先端部内側面３２ＢＷに押し付けられたカセット右下端部を、当該カセット１６乃至１８の進行に応じて先端部内側面３２ＢＷに対して、より滑らせ易くすることができる。
【０１９６】
従って現金自動預払機１は、カセット収納フレーム２１内に誤って落下させられる等してロックレバー３２の先端部内側面３２ＢＷにカセット右下端部が衝突しても、衝突時の力が先端部内側面３２ＢＷの一点に集中することを、さらに確実に回避して、ロックレバー３２の破損を確実に防止することができる。
【０１９７】
そして現金自動預払機１は、係る構成によりカセット１６乃至１８のカセット右下端部に先端部内側面３２ＢＷへの衝突によって加わる力を、さらに分散させて、当該カセット１６乃至１８のカセット右下端部の破損も確実に防止することができる。
【０１９８】
さらに現金自動預払機１は、ロック部３１においてロックレバー３２を弾性体により一方向に回転させるように付勢するようにした。
【０１９９】
従って現金自動預払機１は、ロックレバー３２の先端部３２Ｂを、カセット収納フレーム２１内に差し入れられたカセット１６乃至１８のカセット右下端部の押し付けにより一旦はロック位置から退避させても、カセット１６がカセット収納フレーム２１内の装填位置まで差し込まれたときには、弾性体の付勢に従いロックレバー３２を一方向に回転させてカセット収納フレーム２１内にカセット１６をロックすることができる。
【０２００】
すなわち、現金自動預払機１は、ロックレバー３２の先端部３２Ｂをロック位置に変位させた状態でカセット収納フレーム２１内にカセット１６乃至１８が差し入れられた場合、作業者に鍵を特には回転操作させなくても、ロックレバー３２によりカセット収納フレーム２１内にカセット１６を自動的にロックすることができる。
【０２０１】
（２）第２の実施の形態
次いで、第２の実施の形態による現金自動預払機について説明する。係る現金自動預払機は、複数のロック部に設けられるロックレバーの構成を除いて上述した第１の実施の形態による現金自動預払機と同様に構成されている。
【０２０２】
よって以下には、第２の実施の形態による現金自動預払機の外観構成及び内部構成と、当該現金自動預払機内部の現金収納部の構成とについては説明を省略し、ロック部の特にロックレバーの構成について説明する。
【０２０３】
またロック部については、上述した第１の実施の形態の場合と同様に、カセット収納フレーム２１（図３乃至図５）のフレーム右側面２１Ｂ下寄りに配置された保護カバー３０内に複数設けられている。
【０２０４】
そして複数のロック部は、上述した第１の実施の形態の場合と同様に、それぞれ同一に構成されている。よって以下には、１つのロック部内のロックレバーの構成について説明し、他のロック部内のロックレバーの構成については説明を省略する。
【０２０５】
（２−１）ロック部の構成
図６（Ａ）及び（Ｂ）との対応部分に同一符号を付した図９に示すように、ロック部４０においてロックレバー４１は、根元部４１Ａに対し先端部４１Ｂを鈍角（すなわち、くの字状）に屈曲させたような平板状に形成されている。
【０２０６】
ロックレバー４１は、根元部４１Ａにおいて端面４１ＡＹ寄りに一面から他面に貫通する円形の孔４１ＡＺが穿設されている。
【０２０７】
そしてロックレバー４１は、内側面を左側に向けるようにして孔４１ＡＺに他面側からレバー回動軸３４が挿入されている。
【０２０８】
これによりレバー支持板３３は、ロックレバー４１を、レバー回動軸３４を中心にして一方向及び他方向に回動可能に支持している。
【０２０９】
さらにロックレバー４１は、図示しない弾性体により一方向に回転する（すなわち、先端部４１Ｂをカセット収納フレーム２１のフレーム右側面２１Ｂ側に変位させる）ように付勢されている。
【０２１０】
ただし、係るロックレバー４１にも、根元部４１Ａと先端部４１Ｂとの境界部分に、当該ロックレバー４１の一方向への回転角度を規制するための略四角形状の回転規制部４１Ｃが、その境界部分から先端部４１Ｂ側に張り出すように設けられている。
【０２１１】
そしてロックレバー４１の内側面において回転規制部４１Ｃの部分は、一部が規制部内側面４１ＣＷとして根元部内側面４１ＡＷと平行に形成されている。
【０２１２】
よってロックレバー４１は、弾性体の付勢によって一方向へ回転しても、根元部内側面４１ＡＷがフレーム右側面２１Ｂと平行になった時点で回転規制部４１Ｃの規制部内側面４１ＣＷを当該フレーム右側面２１Ｂに付き当てて回転を停止させる。
【０２１３】
すなわち、ロックレバー４１において回転規制部４１Ｃは、当該ロックレバー４１の一方向への回転を、根元部内側面４１ＡＷがフレーム右側面２１Ｂと平行になった姿勢よりも、さらに一方向へは回転させないように規制している。
【０２１４】
そしてロック部４０は、カセット収納フレーム２１内にカセット１６が装填された状態で偏芯カム３５が一方向へ回転すると、上述した第１の実施の形態の場合と同様に弾性体の付勢に従いロックレバー４１を一方向に回転させる。
【０２１５】
これによりロック部４０は、ロックレバー４１の先端部４１Ｂをフレーム長孔２１ＢＸ及びカセット長孔１６ＡＸに順次通すように変位させる。
【０２１６】
またロック部４０は、偏芯カム３５がカム回動範囲で一方向へ目一杯回転すると、ロックレバー４１の規制部内側面４１ＣＷをフレーム右側面２１Ｂに付き当てて、当該ロックレバー４１の一方向への回転を規制する。
【０２１７】
ただし、ロック部４０は、この際、ロックレバー４１の先端部４１Ｂを、フレーム長孔２１ＢＸ及びカセット長孔１６ＡＸに順次通してカセット１６の内部に差し込んでロック位置に変位させる。
【０２１８】
すなわち、ロック部４０は、偏芯カム３５がカム回動範囲で一方向へ目一杯回転すると、ロックレバー４１をロック可能姿勢にする。
【０２１９】
そしてロック部４０は、ロックレバー４１をロック可能姿勢にした場合、上述した第１の実施の形態の場合と同様に、ロックレバー４１の先端部外側面４１ＢＸを、当該先端部４１Ｂの長手方向が左斜下方向と平行となるように傾斜させている。
【０２２０】
よってロック部４０でも、ロックレバー４１をロック可能姿勢にした状態でカセット収納フレーム２１内のカセット１６が上方向に持ち上げられた場合、当該ロックレバー４１の先端部外側面４１ＢＸに、カセット長孔１６ＡＸの下内面を容易に、かつ確実に引っ掛けさせることができる。
【０２２１】
またロック部４０は、係る状態では、ロックレバー４１の先端部外側面４１ＢＸにおいて端面４１ＢＹ寄りの部分がカセット長孔１６ＡＸの下内面よりもカセット１６内の左斜下側に突出している。
【０２２２】
これによりロック部４０は、係る状態からカセット１６に、さらに上方向に持ち上げるような外力が加えられても、ロックレバー４１に対するカセット１６の引っ掛かりが外れないようにして、カセット収納フレーム２１内の装填位置にカセット１６を確実にロックし続けることができる。
【０２２３】
さらにロックレバー４１は、先端部４１Ｂの端面４１ＢＹが根元部内側面４１ＡＷと平行（すなわち、先端部４１Ｂがロック位置に変位したときにカセット右側壁１６Ａの内面と平行）となるように形成されている。
【０２２４】
このためロックレバー４１は、先端部４１Ｂがカセット１６の内部に差し込まれても、その差込部分の長さを極力短くして、当該カセット１６の内部を現金の収納スペースとして有効に活用させることができる。
【０２２５】
一方、ロック部４０は、カセット収納フレーム２１内にカセット１６が装填された状態で偏芯カム３５が他方向へ回転すると、上述した第１の実施の形態の場合と同様にロックレバー４１を他方向へ押し戻すように回転させる。
【０２２６】
これによりロック部４０は、ロックレバー４１の先端部４１Ｂをカセット１６の内部から退出させるように変位させる。
【０２２７】
そしてロック部４０は、偏芯カム３５がカム回動範囲で他方向へ目一杯回転すると、ロックレバー４１の先端部４１Ｂを、カセット１６の内部、カセット長孔１６ＡＸ及びフレーム長孔２１ＢＸの全てから抜き出して解除位置に変位させる。
【０２２８】
すなわち、ロック部４０は、偏芯カム３５がカム回動範囲で他方向へ目一杯回転すると、ロックレバー４１をロック解除姿勢にする。
【０２２９】
これによりロック部４０は、カセット収納フレーム２１内からカセット１６をロックレバー４１に何ら接触させることなく上方向に持ち上げさせるようにして外部に引き出させることができる。
【０２３０】
またロック部４０は、カセット収納フレーム２１に上端の開口部からカセット１６をロックレバー４１に何ら接触させることなく下方向に差し入れさせるようにして装填させることができる。
【０２３１】
係る構成に加えて、ロックレバー４１の先端部４１Ｂには、先端部内側面の中央部に例えば、略Ｖ字状の切欠部４１ＢＷが形成されている。
【０２３２】
またロックレバー４１は、先端部４１Ｂの端面４１ＢＹと切欠部４１ＢＷとの間に、根元部４１Ａの端面４１ＡＹの中心と、当該先端部４１Ｂの端面４１ＡＹの中心とを結ぶ仮想線とほぼ平行な傾斜面４１ＢＺが形成されている。
【０２３３】
そしてロックレバー４１において切欠部４１ＢＷは、カセット収納フレーム２１内にカセット１６が装填された状態で先端部４１Ｂがロック位置に変位したときに、フレーム右側壁の内面とカセット右側面との隙間に位置して上方向を向くように形成位置が選定されている。
【０２３４】
因みに、以下の説明では、カセット収納フレーム２１内にカセット１６が装填された状態で形成される、フレーム右側壁の内面とカセット右側面との隙間を、両面隙間とも呼ぶ。
【０２３５】
よってロックレバー４１において傾斜面４１ＢＺは、先端部４１Ｂがロック位置に変位した（すなわち、ロックレバー４１がロック可能姿勢になった）とき、カセット収納フレーム２１内で切欠部４１ＢＷよりも僅かに奥側に位置して左斜下方向とほぼ平行になる。
【０２３６】
さらにロック部４０にも、上述した第１の実施の形態の場合と同様に、ロックレバー４１をロック可能姿勢にした場合、弾性体の付勢以外に、偏芯カム３５等によりロックレバー４１をロック可能姿勢に止めるような機構は何ら設けられていない。
【０２３７】
従ってロック部４０は、上述した第１の実施の形態の場合と同様に、ロックレバー４１を誤ってロック可能姿勢にした状態でカセット収納フレーム２１内にカセット１６が差し入れられると、先端部４１Ｂの傾斜面４１ＢＺに対するカセット右下端部１６Ｘの押し付けによりロックレバー４１を、他方向へ押し戻すように回転させる。
【０２３８】
これによりロック部４０は、ロックレバー４１の先端部４１Ｂをロック位置から、少なくとも端面４１ＢＹ部分がカセット１６のカセット右側面に接触する位置まで退避させて、当該ロックレバー４１の破損を防止することができる。
【０２３９】
そしてロック部４０は、このようにロックレバー４１の先端部４１Ｂをロック位置から退避させても、カセット収納フレーム２１内でカセット１６が下方向にさらに移動して先端部４１Ｂとの対向位置にカセット長孔１６ＡＸが到達すると、ロックレバー４１を弾性体の付勢に従い一方向に回転させる。
【０２４０】
よってロック部４０は、ロックレバー４１の先端部４１Ｂを、カセット長孔１６ＡＸに通してカセット１６の内部に差し込み、かくしてカセット収納フレーム２１内にカセット１６をロックすることができる。
【０２４１】
ところで、図１０（Ａ）及び（Ｂ）に示すように、ロック部４０は、上述のようにロックレバー４１によりカセット収納フレーム２１内にカセット１６をロックしている場合、当該ロックレバー４１の切欠部４１ＢＷを上方向に向けて両面隙間に位置させている。
【０２４２】
このため、ロック部４０は、カセット収納フレーム２１の上端の開口部から、両面隙間に例えば、板や針金のような差込物４５が差し込まれると、当該差込物４５の先端をロックレバー４１の切欠部４１ＢＷで受ける。
【０２４３】
この際、ロックレバー４１は、切欠部４１ＢＷに差込物４５の先端が押し付けられると、当該差込物４５の先端を、切欠部４１ＢＷの斜面を滑らせるようにして底（すなわち、切欠きの最も深い部分）に導く。
【０２４４】
そしてロック部４０は、両面隙間に差し込まれた差込物４５の先端によってロックレバー４１の切欠部４１ＢＷが下方向に押されると、当該差込物４５の先端を切欠部４１ＢＷの底に引っ掛けたままロックレバー４１を、レバー回動軸３４を中心にして他方向へ回転させる。
【０２４５】
よってロック部４０は、両面隙間への差込物４５の差し込みによりロックレバー４１を他方向へ回転させると、その回転に応じて差込物４５全体を右方向（すなわち、フレーム右側壁の内面側）に移動させる。
【０２４６】
言い換えると、ロック部４０は、両面隙間内に差込物４５が差し込まれた場合、その差込物４５全体を下方向へ移動させながら右方向へも移動させないと、ロックレバー４１を他方向へは回転させ得ないようにしている。
【０２４７】
そしてロック部４０は、両面隙間への差込物４５の差し込みによりロックレバー４１が他方向へ回転しても、先端部４１Ｂがカセット１６内に未だ差し込まれている状態で、差込物４５をフレーム右側壁の内面に付き当てる。
【０２４８】
これによりロック部４０は、引き続きロックレバー４１を他方向へ回転させようとして、差込物４５を下方向へ移動させようとしても、ロックレバー４１の他方向への回転に伴う差込物４５の右方向への移動をフレーム右側壁の内面で規制して、当該差込物４５を右方向と共に下方向へも移動させないようにすることができる。
【０２４９】
すなわち、ロック部４０は、両面隙間に差込物４５が差し込まれてロックレバー４１を他方向へ回転させようとしても、差込物４５をフレーム右側壁の内面に付き当てることで、当該差込物４５自体を、ロックレバー４１の他方向への回転を規制する規制手段として機能させることができる。
【０２５０】
このようにしてロック部４０は、例えば、第三者によりカセット収納フレーム２１に対するカセット１６のロックを強制的に解除する目的で、両面隙間に差込物４５が差し込まれてロックレバー４１が他方向に回転させられても、当該ロックレバー４１を他方向へ僅かに回転させただけで、その回転を停止させる。
【０２５１】
これによりロック部４０は、カセット１６内にロックレバー４１の先端部４１Ｂを差し込んだままにして、第三者にカセット収納フレーム２１に対するカセット１６のロックを解除させないようにすることができる。
【０２５２】
これに加えて、ロックレバー４１は、両面隙間に差し込まれた差込物４５により他方向へ回転しても、当該差込物４５がフレーム右側壁の内面に付き当てられたときに、先端部外側面４１ＢＸにおいて端面４１ＢＹ寄りの部分がカセット長孔１６ＡＸ内からカセット１６内に亘って位置するように、先端部４１Ｂの長さが適宜選定されている。
【０２５３】
これによりロック部４０は、両面隙間に差し込まれた差込物４５によりロックレバー４１の先端部４１Ｂが下方向に押された状態で、第三者によりカセット収納フレーム２１内からカセット１６が持ち上げられても、ロックレバー４１の先端部外側面４１ＢＸに、カセット長孔１６ＡＸの下内面を容易に、かつ確実に引っ掛けさせることができる。
【０２５４】
このようにしてロック部４０は、第三者がカセット収納フレーム２１内からカセット１６を不当に取り出そうとしても、その取り出しを阻止して、カセット１６内の現金を保護することができる。
【０２５５】
（２−２）第２の実施の形態の動作及び効果
以上の構成において、現金自動預払機は、ロック部４０においてロックレバー４１を一方向及び他方向に回動可能に支持する。
【０２５６】
そして現金自動預払機は、カセット収納フレーム２１内にカセット１６乃至１８が装填された状態で作業者により鍵が回転操作されると、その回転操作に応じてロックレバー４１を一方向に回転させる。
【０２５７】
これにより現金自動預払機は、ロックレバー４１の先端部４１Ｂをカセット１６乃至１８内に差し込んでロック位置に変位させる。
【０２５８】
このようにして現金自動預払機は、カセット１６乃至１８内に差し込んだロックレバー４１により、当該カセット１６乃至１８をカセット収納フレーム２１内の装填位置に、外部へは引き出せないようにロック（止めるように）する。
【０２５９】
また現金自動預払機は、カセット収納フレーム２１内にカセット１６乃至１８をロックした状態で作業者により鍵が回転操作されると、その回転操作に連動してロックレバー４１を一方向に回転させる。
【０２６０】
これにより現金自動預払機は、ロックレバー４１の先端部４１Ｂをカセット１６乃至１８内、及びカセット収納フレーム２１内から順次引き抜くようにして解除位置に変位させる。
【０２６１】
このようにして現金自動預払機は、カセット収納フレーム２１に対するカセット１６乃至１８のロックを解除して、カセット収納フレーム２１内からカセット１６乃至１８を引き出させ、またカセット収納フレーム２１内に新たなカセット１６乃至１８を差し入れるように装填させる。
【０２６２】
ただし、現金自動預払機は、ロック部４０において、ロックレバー４１の先端部４１Ｂをロック位置に変位させた状態で、当該先端部４１Ｂにロックレバー４１を他方向へ回転させるような外力が直接加えられたときには、ロックレバー４１を他方向へ回転させて先端部４１Ｂをロック位置から退避させるように、当該ロックレバー４１を支持している。
【０２６３】
従って、現金自動預払機は、ロック部４０においてロックレバー４１の先端部４１Ｂをロック位置に変位させた状態でカセット収納フレーム２１内にカセット１６乃至１８が差し入れられると、先端部４１Ｂに対するカセット１６乃至１８のカセット右下端部１６Ｘの押し付けに応じてロックレバー４１を他方向へ押し戻すように回転させることができる。
【０２６４】
これにより現金自動預払機は、ロック部４０においてロックレバー４１の先端部４１Ｂを、ロック位置から少なくともカセット１６乃至１８のカセット右側面に接触する位置まで退避させて、ロックレバー４１の破損を防止することができる。
【０２６５】
これに加えて、現金自動預払機は、ロックレバー４１によりカセット収納フレーム２１内にカセット１６乃至１８をロックしている状態で両面隙間に差込物４５が差し込まれると、当該差込物４５の先端をロックレバー４１の切欠部４１ＢＷで受ける。
【０２６６】
そして現金自動預払機は、両面隙間に差し込まれた差込物４５の先端によってロックレバー４１の先端部４１Ｂが下方向に押されると、当該ロックレバー４１を他方向へ回転させながら、差込物４５全体を右方向に移動させる。
【０２６７】
これにより現金自動預払機は、ロックレバー４１の先端部４１Ｂがカセット１６乃至１８内に未だ差し込まれている状態で、差込物４５をフレーム右側壁の内面に付き当てて、当該差込物４５を右方向と共に下方向へ移動させないようにする。
【０２６８】
従って現金自動預払機は、第三者が両面隙間に差込物４５を差し込んでロックレバー４１を他方向に回転させてカセット収納フレーム２１に対するカセット１６乃至１８のロックを解除しようとしても、当該カセット１６乃至１８のロックの解除を阻止することができる。
【０２６９】
以上の構成によれば、現金自動預払機は、ロック部４０においてロックレバー４１の先端部４１Ｂを、カセット収納フレーム２１内に差し込んでロック位置に変位させ、またカセット収納フレーム２１内から引き抜いて解除位置に変位させると共に、ロック位置に変位させた先端部４１Ｂにロックレバー４１を他方向へ回転させるような外力が直接加えられたときには、当該ロックレバー４１を他方向へ回転させて先端部４１Ｂをロック位置から退避させるようにロックレバー４１を回動可能に支持する一方、カセット収納フレーム２１内にカセット１６乃至１８をロックしている状態で両面隙間に差込物４５が差し込まれてロックレバー４１の先端部４１Ｂが下方向に押された場合には、ロックレバー４１を他方向へ回転させながら、差込物４５全体を右方向に移動させて、当該ロックレバー４１の先端部４１Ｂがカセット１６乃至１８内に差し込まれている状態で、差込物４５をフレーム右側壁の内面に付き当てるようにした。
【０２７０】
これにより現金自動預払機は、上述した第１の実施の形態によって得られる効果と同様の効果を得ることができると共に、これに加えて、第三者が両面隙間に差込物４５を差し込んでロックレバー４１を他方向に回転させてカセット収納フレーム２１に対するカセット１６乃至１８のロックを解除しようとしても、当該カセット１６乃至１８のロックの解除を阻止することができる。
【０２７１】
従って現金自動預払機は、第三者によりカセット収納フレーム２１内からカセット１６乃至１８が不当に取り出されることを防止して、当該カセット１６乃至１８内の現金を保護することができる。
【０２７２】
また現金自動預払機では、両面隙間に差し込まれた差込物４５をロックレバー４１の他方向への回転に応じてフレーム右側壁の内面に付き当てたとき、先端部外側面４１ＢＸにおいて端面４１ＢＹ寄りの部分を、カセット長孔１６ＡＸ内からカセット１６乃至１８内に亘って位置させるようにした。
【０２７３】
従って現金自動預払機は、両面隙間に差し込まれた差込物４５によりロックレバー４１の先端部４１Ｂが下方向に押された状態で、第三者によりカセット収納フレーム２１内からカセット１６乃至１８が持ち上げられても、ロックレバー４１の先端部外側面４１ＢＸに、カセット長孔１６ＡＸの下内面を容易に、かつ確実に引っ掛けさせることができる。
【０２７４】
よって現金自動預払機は、第三者がカセット収納フレーム２１内からカセット１６乃至１８を不当に取り出そうとしても、その取り出しを確実に阻止して、カセット１６乃至１８内の現金を確実に保護することができる。
【０２７５】
（３）第３の実施の形態
次いで、第３の実施の形態による現金自動預払機について説明する。係る現金自動預払機は、カセット収納フレーム２１に設けられた複数のロック部に対応させて、複数のカセットにそれぞれロック支援部が設けられた構成を除いて上述した第２の実施の形態による現金自動預払機と同様に構成されている。
【０２７６】
よって以下には、第３の実施の形態による現金自動預払機の外観構成及び内部構成と、当該現金自動預払機内部の現金収納部の構成とについては説明を省略し、複数のカセットにそれぞれ設けられたロック支援部の構成について説明する。
【０２７７】
ただし、複数のカセットにそれぞれ設けられロック支援部は、同一に構成されている。よって以下には、１つのカセットに設けられたロック支援部の構成について説明し、他のカセットに設けられたロック支援部の構成については説明を省略する。
【０２７８】
（３−１）ロック支援部の構成
図９との対応部分に同一符号を付した図１１に示すように、カセット収納フレーム２１のフレーム右側面２１Ｂに配置された保護カバー３０内には、上述した第２の実施の形態の場合と同様構成のロック部４０が設けられている。
【０２７９】
またカセット１６内のカセット右側壁１６Ａ側には、当該カセット１６がカセット収納フレーム２１内に装填された状態で、ロック部４０と対向するようにロック支援部５０が設けられている。
【０２８０】
ロック支援部５０は、ロック支援レバー５１支持用のレバー支持面５２Ａを後側に向けてカセット右側壁１６Ａの内面に設けられたレバー支持板５２を有している。
【０２８１】
レバー支持板５２のレバー支持面５２Ａには、ロック部４０のレバー回動軸３４の植設位置と、両面隙間に位置する右方向と垂直な仮想平面ＩＰに関して面対称となる位置に、ロック支援レバー５１の回動用のレバー回動軸５３が後方向と平行に植設されている。
【０２８２】
またロック支援レバー５１は、根元部５１Ａに対し先端部５１Ｂを鈍角（すなわち、くの字状）に屈曲させたような平板状に形成されている。
【０２８３】
ロック支援レバー５１は、根元部５１Ａにおいて端面５１ＡＹ寄りに一面から他面に貫通する円形の孔５１ＡＺが穿設されている。
【０２８４】
そしてロック支援レバー５１は、内側面を右側に向けるようにして孔５１ＡＺに他面側からレバー回動軸５３が挿入されている。
【０２８５】
これによりレバー支持板５２は、ロック支援レバー５１を、レバー回動軸５３を中心にして一方向及び他方向に回動可能に支持している。
【０２８６】
ところで、ロック支援レバー５１は、例えば、図示しないコイルばねや板ばね等のような弾性体により他方向に回転する（すなわち、先端部５１Ｂをカセット１６のカセット右側壁１６Ａ側に変位させる）ように付勢されている。
【０２８７】
ただし、ロック支援レバー５１において根元部５１Ａと先端部５１Ｂとの境界部分には、当該ロック支援レバー５１の他方向への回転角度を規制するための略四角形状の回転規制部５１Ｃが、その境界部分から先端部５１Ｂ側に張り出すように設けられている。
【０２８８】
そしてロック支援レバー５１の内側面において回転規制部５１Ｃの部分は、一部が規制部内側面５１ＣＷとして根元部内側面５１ＡＷと平行に形成されている。
【０２８９】
これによりロック支援レバー５１は、弾性体の付勢によって他方向へ回転しても、根元部内側面５１ＡＷがカセット右側壁１６Ａの内面と平行になった時点で回転規制部５１Ｃの規制部内側面５１ＣＷを当該カセット右側壁１６Ａの内面に付き当てて回転を停止させる。
【０２９０】
このようにしてロック支援レバー５１において回転規制部５１Ｃは、当該ロック支援レバー５１の他方向への回転を、根元部内側面５１ＡＷがカセット右側壁１６Ａの内面と平行になった姿勢よりも、さらに他方向へは回転させないように規制している。
【０２９１】
そしてロック支援レバー５１は、規制部内側面５１ＣＷをカセット右側壁１６Ａの内面に付き当てたとき、先端部５１Ｂをカセット長孔１６ＡＸに通してフレーム長孔２１ＢＸに挿入するものの、当該先端部５１Ｂの端面５１ＢＹ部分が保護カバー３０内には進入しないように、先端部５１Ｂの長さが適宜選定されている。
【０２９２】
因みに、ロック支援レバー５１の先端部５１Ｂは、先端部外側面５１ＢＸにおいて端面５１ＢＹ寄りの部分が先端部内側面の方向に切り込むように切り欠かれている。
【０２９３】
よってロック支援レバー５１は、他方向に回転した場合、先端部外側面５１ＢＸにおいて端面５１ＢＹ寄りの部分をカセット長孔１６ＡＸの下内面に引っ掛けることなく、先端部５１Ｂを当該カセット長孔１６ＡＸに通してフレーム長孔２１ＢＸに挿入させることができる。
【０２９４】
ところで、レバー支持板５２のレバー支持面５２Ａには、ロック部４０のカム回動軸３６の植設位置と、上述の仮想平面ＩＰに関して面対称となる位置に、偏芯カム５４の回動用のカム回動軸５５が後方向と平行に植設されている。
【０２９５】
そして偏芯カム５４は、円板状に形成されると共に、一面の中心からずれた位置に当該一面から他面に貫通する孔５４Ａが穿設されており、孔５４Ａに他面側からカム回動軸５５が挿入されている。
【０２９６】
これによりレバー支持板５２は、偏芯カム５４を、カム回動軸５５を中心にして一方向及び他方向に回動可能に支持している。
【０２９７】
またカセット１６には、図示しない錠と、当該錠の鍵穴に鍵が差し込まれて回転操作された場合に、鍵の回転に連動させてカム回動軸５５と共に偏芯カム５４を回動させる図示しないカム回動機構とが設けられている。
【０２９８】
この場合、カセット１６に設けられた錠についても、作業者により鍵穴に差し込まれた鍵を例えば、１８０度の鍵回動範囲で時計回り方向及び反時計回り方向に回転させることができる。
【０２９９】
そしてカム回動機構は、錠の鍵穴に差し込まれた鍵が鍵回動範囲において例えば、時計回り方向に目一杯回転した場合、カム回動軸５５と共に偏芯カム５４を例えば、１８０度のカム回動範囲で他方向へ目一杯回転させる。
【０３００】
これにより偏芯カム５４は、一周に亘る周側面の中で周側面軸離隔部分を左方向（すなわち、ロック支援レバー５１の根元部内側面５１ＡＷ側）に向ける。
【０３０１】
またカム回動機構は、錠の鍵穴に差し込まれた鍵が鍵回動範囲において例えば、反時計回り方向に目一杯回転した場合、カム回動軸５５と共に偏芯カム５４をカム回動範囲で一方向へ目一杯回転させる。
【０３０２】
これにより偏芯カム５４は、一周に亘る周側面の中で周側面軸近接部分を左方向（すなわち、ロック支援レバー５１の根元部内側面５１ＡＷ側）に向ける。
【０３０３】
そして偏芯カム５４は、周側面軸近接部分を左方向へ向けた場合にロック支援レバー５１の根元部内側面５１ＡＷに近接又は当接させて、当該ロック支援レバー５１の規制部内側面５１ＣＷをカセット右側壁１６Ａの内面に付き当てさせるように、直径と孔５４Ａの穿設位置とが適宜選定されている。
【０３０４】
よってロック支援部５０は、錠の鍵穴に差し込まれた鍵の回転操作に連動して偏芯カム５４が他方向に回転すると、当該偏芯カム５４の周側面においてロック支援レバー５１の根元部内側面５１ＡＷとの接触部分を、周側面軸近接部分から周側面軸離隔部分側へ徐々に変位させる。
【０３０５】
これによりロック支援部５０は、偏芯カム５４の他方向への回転に連動して、弾性体により付勢されているロック支援レバー５１を一方向へ押し戻すように回転させる。
【０３０６】
そしてロック支援部５０は、偏芯カム５４がカム回動範囲で他方向へ目一杯回転して周側面軸離隔部分を左方向へ向けた場合、ロック支援レバー５１全体をカセット１６内に収納する。
【０３０７】
因みに、以下の説明では、ロック支援レバー５１全体をカセット１６内に収納したときの当該ロック支援レバー５１の姿勢を、カセット収納フレーム２１に対するカセット１６のロックの支援を解除するための支援解除姿勢とも呼ぶ。
【０３０８】
このようにしてロック支援部５０は、ロック支援レバー５１を支援解除姿勢にした状態で、ロックレバー４１がロック解除姿勢にされていると、カセット収納フレーム２１に上端の開口部からカセット１６を差し入れさせるようにして装填させることができる。
【０３０９】
またロック支援部５０は、ロック支援レバー５１を支援解除姿勢にした状態で、ロックレバー４１がロック解除姿勢にされていると、カセット収納フレーム２１内からカセット１６を上方向に持ち上げさせるようにして外部に引き出させることができる。
【０３１０】
一方、ロック支援部５０は、カセット収納フレーム２１内に装填されたカセット１６内にロック支援レバー５１を収納した状態で、錠の鍵穴に差し込まれた鍵の回転操作に応じて偏芯カム５４が一方向に回転すると、当該偏芯カム５４の周側面においてロック支援レバー５１の根元部内側面５１ＡＷとの接触部分を、周側面軸離隔部分から周側面軸近接部分側へ徐々に変位させる。
【０３１１】
よってロック支援部５０は、偏芯カム５４の一方向への回転に応じて、弾性体の付勢に従いロック支援レバー５１を他方向に回転させる。
【０３１２】
そしてロック支援部５０は、偏芯カム５４がカム回動範囲で一方向へ目一杯回転して周側面軸近接部分を左方向へ向けた場合には、ロック支援レバー５１の規制部内側面５１ＣＷをカセット右側壁１６Ａの内面に付き当てさせる。
【０３１３】
これによりロック支援部５０は、ロック支援レバー５１の先端部５１Ｂを、カセット長孔１６ＡＸに通してフレーム長孔２１ＢＸに挿入させる。
【０３１４】
因みに、以下の説明では、ロック支援レバー５１の先端部５１Ｂをカセット長孔１６ＡＸに通してフレーム長孔２１ＢＸに挿入した（すなわち、規制部内側面５１ＣＷをカセット右側壁１６Ａの内面に付き当てた）ときの当該ロック支援レバー５１の姿勢を、カセット収納フレーム２１に対するカセット１６のロックを支援するためのロック支援姿勢とも呼ぶ。
【０３１５】
ここで、ロック支援レバー５１の先端部内側面には、ロックレバー４１の切欠部４１ＢＷとほぼ同一形状の切欠部５１ＢＷが、ロック支援姿勢において両面隙間に位置して上方向を向くように形成されている。
【０３１６】
またロック支援レバー５１は、レバー回動軸５３から切欠部５１ＢＷの底までの距離が、ロックレバー４１におけるレバー回動軸３４から切欠部４１ＢＷの底までの距離と等しく選定されている。
【０３１７】
よってロック支援レバー５１は、ロック支援姿勢のときにロックレバー４１がロック可能姿勢であると、切欠部５１ＢＷを、ロックレバー４１の切欠部４１ＢＷと、互いの斜面をほぼ面一にして重ねるようにしている。
【０３１８】
そして図１２に示すように、ロック部４０及びロック支援部５０は、カセット収納フレーム２１内にカセット１６が装填された状態でロックレバー４１をロック可能姿勢にし、ロック支援レバー５１をロック支援姿勢にした場合に両面隙間に差込物４５が差し込まれると、当該差込物４５の先端を少なくとも一方の切欠部４１ＢＷ及び５１ＢＷで受ける。
【０３１９】
この際、両面隙間に差込物４５として、例えば、針金が差し込まれて、当該針金の先端がロックレバー４１の切欠部４１ＢＷのみに押し付けられると、ロック部４０は、第２の実施の形態で上述した場合と同様に動作して当該ロックレバー４１の他方向への回転を規制する。
【０３２０】
また両面隙間に差込物４５として差し込まれた針金の先端がロック支援レバー５１の切欠部５１ＢＷのみに押し付けられると、ロック支援部５０は、当該針金の先端を切欠部５１ＢＷの斜面を滑らせるようにして底に導く。
【０３２１】
そしてロック支援部５０は、両面隙間に差し込まれた差込物４５としての針金の先端によってロック支援レバー５１の切欠部５１ＢＷが下方向に押されると、当該針金の先端を切欠部５１ＢＷの底に引っ掛けたままロック支援レバー５１を、レバー回動軸５３を中心にして一方向へ回転させる。
【０３２２】
よってロック支援部５０は、両面隙間への針金の差し込みによりロック支援レバー５１を一方向へ回転させると、その回転に応じて針金全体を左方向（すなわち、カセット右側壁１６Ａ側）に移動させる。
【０３２３】
言い換えると、ロック支援部５０は、両面隙間内に針金が差し込まれた場合、その針金全体を下方向へ移動させながら左方向へも移動させないと、ロック支援レバー５１を一方向へは回転させ得ないようにしている。
【０３２４】
そしてロック支援部５０は、両面隙間への針金の差し込みによりロック支援レバー５１が一方向へ回転しても、先端部５１Ｂがフレーム長孔２１ＢＸに未だ挿入されている状態で、針金をカセット右側面に付き当てる。
【０３２５】
これによりロック支援部５０は、引き続きロック支援レバー５１を一方向へ回転させようとして、針金を下方向へ移動させようとしても、ロック支援レバー５１の一方向への回転に伴う針金の左方向への移動をカセット右側面で規制して、当該針金を左方向と共に下方向へも移動させないようにする。
【０３２６】
すなわち、ロック支援部５０は、両面隙間に差込物４５としての針金が差し込まれてロック支援レバー５１を一方向へ回転させようとしても、針金をカセット右側面に付き当てることで、当該針金自体を、ロック支援レバー５１の一方向への回転を規制する規制手段として機能させる。
【０３２７】
このようにしてロック支援部５０は、例えば、第三者によりカセット収納フレーム２１に対するカセット１６のロックを強制的に解除する目的で、両面隙間に差込物４５としての針金が差し込まれてロック支援レバー５１が一方向に回転させられても、当該ロック支援レバー５１を一方向へ僅かに回転させただけで、その針金を動かなくする。
【０３２８】
これによりロック支援部５０は、第三者が針金を下方向に押し込もうとして動かそうとしても、その針金が直ぐに動かなくなることで、当該第三者にカセット収納フレーム２１に対するカセット１６のロックを解除し得ないと判断させて、そのロックの解除をあきらめさせることができる。
【０３２９】
また、この際に第三者が仮にロックの解除をあきらめずに、両面隙間に差込物４５としての針金を差し込んだままカセット収納フレーム２１内からカセット１６を持ち上げようとしても、ロック部４０がロックレバー４１をロック可能姿勢にしている。
【０３３０】
このため、係る状況では、ロック支援部５０に引き続きロック部４０が、カセット収納フレーム２１内から持ち上げられようとしたカセット１６をロックレバー４１に引っ掛けさせて、第三者にカセット収納フレーム２１に対するカセット１６のロックを解除し得ないと改めて認識させて、ロックの解除をあきらめさせることができる。
【０３３１】
ところで、両面隙間に差込物４５として例えば、板が差し込まれて、当該板の先端がロックレバー４１及びロック支援レバー５１の両方の切欠部４１ＢＷ及び５１ＢＷに押し付けられると、ロック部４０及びロック支援部５０は、板の先端を、互いの切欠部４１ＢＷ及び５１ＢＷの斜面を滑らせるようにして双方の底に導く。
【０３３２】
そしてロック部４０は、この際、両面隙間に差し込まれた板の先端によってロックレバー４１の切欠部４１ＢＷが下方向に押されると、当該板の先端を切欠部４１ＢＷの底に引っ掛けたままロックレバー４１を、レバー回動軸３４を中心にして他方向へ回転させようとして、その板に右方向へ移動させるような力をかける。
【０３３３】
これとは逆にロック支援部５０は、この際、両面隙間に差し込まれた板の先端によってロック支援レバー５１の切欠部５１ＢＷが下方向に押されると、当該板の先端を切欠部５１ＢＷの底に引っ掛けたままロック支援レバー５１を、レバー回動軸５３を中心にして一方向へ回転させようとして、その板に左方向へ移動させるような力をかける。
【０３３４】
これによりロック部４０及びロック支援部５０は、この際、板が互いの切欠部４１ＢＷ及び５１ＢＷに押し付けられている間、その板にかけた右方向へ移動させるような力と、左方向へ移動させるような力とを均衡させる。
【０３３５】
よってロック部４０及びロック支援部５０は、板が互いの切欠部４１ＢＷ及び５１ＢＷに押し付けられている間、当該板を下方向、左方向及び右方向の何れにも動かないようにすることができる。
【０３３６】
このようにしてロック部４０及びロック支援部５０は、第三者によりカセット収納フレーム２１に対するカセット１６のロックを強制的に解除する目的で、両面隙間に差込物４５としての板が差し込まれても、その板をロックレバー４１及びロック支援レバー５１の切欠部４１ＢＷ及び５１ＢＷの底に押し付けた時点で全く動かなくする。
【０３３７】
これによりロック部４０及びロック支援部５０は、カセット１６内にロックレバー４１の先端部４１Ｂを差し込んだままにして、第三者にカセット収納フレーム２１に対するカセット１６のロックを解除させないようにすることができる。
【０３３８】
従ってロック部４０及びロック支援部５０は、第三者がカセット収納フレーム２１内からカセット１６を不当に取り出そうとしても、その取り出しを阻止して、カセット１６内の現金を保護することができる。
【０３３９】
（３−２）第３の実施の形態の動作及び効果
以上の構成において、現金自動預払機は、カセット収納フレーム２１に上述した第２の実施の形態と同様構成のロック部４０を設けると共に、そのロック部４０に対応させてカセット１６乃至１８にロック支援部５０を設ける。
【０３４０】
そして現金自動預払機は、ロック支援部５０においてロック支援レバー５１を一方向及び他方向に回動可能に支持する。
【０３４１】
そして現金自動預払機は、カセット収納フレーム２１内にカセット１６乃至１８が装填された状態で作業者によりカセット収納フレーム２１側の鍵が回転操作されると、その回転操作に応じてロックレバー４１を一方向に回転させる。
【０３４２】
これにより現金自動預払機は、ロックレバー４１の先端部４１Ｂをカセット１６乃至１８内に差し込んでロック位置に変位させる。
【０３４３】
また現金自動預払機は、この際、作業者によりカセット１６乃至１８側の鍵が回転操作されると、その回転操作に応じてロック支援レバー５１を他方向に回転させる。
【０３４４】
これにより現金自動預払機は、両面隙間においてロックレバー４１の切欠部４１ＢＷにロック支援レバー５１の切欠部５１ＢＷを前後に重ねるように配置する。
【０３４５】
従って現金自動預払機は、この状態で第三者により両面隙間に差込物４５が差し込まれてロックレバー４１及びロック支援レバー５１の互いの切欠部４１ＢＷに押し付けられると、当該差込物４５の先端を互いの切欠部４１ＢＷ及び５１ＢＷの底に導き動かないようにすることができる。
【０３４６】
以上の構成によれば、現金自動預払機は、カセット収納フレーム２１に上述した第２の実施の形態と同様構成のロック部４０を設けると共に、そのロック部４０に対応させてカセット１６乃至１８にロック支援部５０を設け、カセット収納フレーム２１内にカセット１６乃至１８が装填されロックレバー４１をロック可能姿勢にした状態でロック支援部５０においてロック支援レバー５１を他方向に回転させると、両面隙間においてロックレバー４１の切欠部４１ＢＷにロック支援レバー５１の切欠部５１ＢＷを前後に重ねるようにした。
【０３４７】
これにより現金自動預払機は、上述した第１及び第２の実施の形態によって得られる効果と同様の効果を得ることができると共に、これに加えて、カセット収納フレーム２１内にカセット１６乃至１８が装填された状態で第三者により両面隙間に差込物４５が差し込まれてロックレバー４１及びロック支援レバー５１の互いの切欠部４１ＢＷに押し付けられたときには、当該差込物４５の先端を互いの切欠部４１ＢＷ及び５１ＢＷの底に導き動かないようにすることができる。
【０３４８】
従って現金自動預払機は、第三者によりカセット収納フレーム２１内からカセット１６乃至１８が、ロックを強制的に解除して不当に取り出されることを防止して、当該カセット１６乃至１８内の現金を確実に保護することができる。
【０３４９】
（４）他の実施の形態
なお上述した第１の実施の形態においては、ロック部３１に略くの字状のロックレバー３２を回動可能に設けるようにした場合について述べた。
【０３５０】
しかしながら本発明は、これに限らず、図１３（Ａ）及び（Ｂ）に示すように、ロック部６０に例えば、棒状のロックレバー６１を、その先端部６１Ａをカセット収納フレーム６２の壁部６２Ａに向けて例えば、水平方向と平行にスライド可能に設けるようにしても良い。
【０３５１】
本発明は、係る構成の場合、ロックレバー６１の先端部６１Ａに、上面６１Ｂから当該先端部６１Ａの端面６１ＡＸにかけてに徐々に下面６１Ｃ側に傾斜するような（すなわち、斜下方向と平行な）傾斜面６１ＡＹを形成する。
【０３５２】
また本発明は、ロックレバー６１を図示しない弾性体によりカセット収納フレーム６２の壁部６２Ａに押すように付勢する。
【０３５３】
そして本発明は、カセット収納フレーム６２内にカセット６３が装填された状態では、弾性体の付勢によりロックレバー６１の先端部６１Ａをロック位置に変位させることにより、カセット収納フレーム６２に壁部６２Ａに穿設された孔６２ＡＸ及びカセット６３の壁部６３Ａに穿設された孔６３ＡＸに順次通して当該カセット６３内に差し込む。
【０３５４】
これにより本発明は、ロックレバー６１によりカセット収納フレーム６２内にカセット６３を、当該カセット６３を装填位置から引き出せないようにロックする。
【０３５５】
また本発明は、ロックレバー６１の先端部６１Ａをロック位置に変位させた状態でカセット収納フレーム６２内にカセット６３が差し入れられたときには、先端部６１Ａの傾斜面６１ＡＹに対するカセット６３の下端部６３Ｂの押し付けに応じて、当該先端部６１Ａをロック位置から少なくともカセット収納フレーム６２の壁部６２Ａと接触する位置まで退避させる。本願発明は、係る構成によっても、上述した第１の実施の形態と同様の構成を得ることができる。
【０３５６】
また上述した第１乃至第３の実施の形態においては、カセット１６乃至１８のカセット右側壁に、右方向と平行な下内面を有するカセット長孔を穿設するようにした場合について述べた。
【０３５７】
しかしながら本発明は、これに限らず、図１４（Ａ）及び（Ｂ）に示すように、カセット１６のカセット右側壁１６Ａに、右斜下に傾斜する（すなわち、右斜下方向と平行な）下内面１６ＤＸを有するカセット長孔１６Ｄを穿設するようにしても良い。
【０３５８】
本発明は、係る構成によれば、ロックレバー３２、４１によりカセット収納フレーム２１内にカセット１６をロックした状態で、当該カセット１６が持ち上げられた場合、ロックレバー３２、４１の先端部外側面３２ＢＸ、４１ＢＸに、カセット長孔１６Ｄの下内面１６ＤＸを、より引っ掛け易くすることができる。
【０３５９】
特に本発明は、係る構成を上述した第２及び第３の実施の形態に適用した場合、両面隙間に差込物４５が差し込まれてロックレバー４１が他方向に僅かに回転した状態で、カセット１６が持ち上げられたときでも、当該ロックレバー４１の先端部外側面４１ＢＸに、カセット長孔１６Ｄの下内面１６ＤＸを、より確実に引っ掛けさせることができる。
【０３６０】
さらに上述した第１乃至第３の実施の形態においては、ロックレバー３２、４１を偏芯カム３５により他方向に回転させてカセット収納フレーム２１に対するカセット１６乃至１８のロックを解除するようにした場合について述べた。
【０３６１】
しかしながら本発明は、これに限らず、例えば、鍵の回転操作に連動して回転するピニオンギアにラックを歯合させて、当該ラックによりロックレバー３２、４１を押す、又は引くことで他方向に回転させてカセット収納フレーム２１に対するカセット１６乃至１８のロックを解除するようにしても良い。
【０３６２】
すなわち、本発明は、ロックレバー３２、４１の先端部３２Ｂ、４１Ｂをロック位置に変位させてロック可能姿勢にした状態で、当該先端部３２Ｂ、４１Ｂに外力が直接加えられたときに、先端部３２Ｂ、４１Ｂをロック位置から退避させることができれば、ロックレバー３２、４１の先端部３２Ｂ、４１Ｂを解除位置に変位させてロック解除姿勢にするための可動部として、偏芯カム３５や、ピニオンギア及びラックの他にも、種々の構成の可動部を用いることができる。
【０３６３】
また本発明は、上述した第３の実施の形態の場合、ロック部４０の偏芯カム３５と、ロック支援部５０の偏芯カム５４とをそれぞれ個別の鍵の回転操作に連動させて回転させるようにしたが、当該ロック部４０の偏芯カム３５と、ロック支援部５０の偏芯カム５４とを１つの鍵の回転操作に連動させて回転させるようにしても良い。
【０３６４】
さらに上述した第２及び第３の実施の形態においては、ロックレバー４１及びロック支援レバー５１に略Ｖ字状の切欠部４１ＢＷ、５１ＢＷを形成するようにした場合について述べた。
【０３６５】
しかしながら本発明は、これに限らず、ロックレバー４１及びロック支援レバー５１に、Ｕ字状や半円状、コ字状等の切欠部を形成するようにしても良い。
【０３６６】
すなわち、本発明は、ロックレバー４１及びロック支援レバー５１を回転させても、当該ロックレバー４１及びロック支援レバー５１の切欠部に差込物４５の先端を止めることができれば、この他種々の形状の切欠部を形成するようにしても良い。
【０３６７】
さらに上述した第１乃至第３の実施の形態においては、ロック部３１、４０によりカセット収納フレーム２１に差入及び引出可能に装填される複数のカセット１６乃至１８をロックするようにした場合について述べた。
【０３６８】
しかしながら本発明は、これに限らず、ロック部により現金自動預払機１に差入及び引出可能に装填されるカセット収納フレーム２１をロックするようにしても良い。
【０３６９】
すなわち、本発明は、上述のロック部の構成を、装置や収納部に差入及び引出可能に装填される、現金や金券、チケット等を収納するカセットや、アセンブリ交換可能な機械部品や電子部品等のような種々の装填対象に対するロックに適用することができる。
【０３７０】
ところで、本発明は、例えば、ロック部を、ロックレバーの先端部を上側から下側のロック位置に変位させるようにして装填対象に差し込むように構成するようにしても良い。
【０３７１】
そして本発明は、係る構成によれば、ロックレバーの先端部を自重によって上側からロック位置に変位させることができ、ロック部を弾性体を除いて構成して、当該ロック部の構成を簡易化することができる。
【０３７２】
さらに上述した第１乃至第３の実施の形態においては、本発明のロック装置を、図１乃至図１４について上述した現金自動預払機１に設けられたロック部３１、４０に適用するようにした場合について述べた。
【０３７３】
しかしながら本発明は、これに限らず、現金自動支払機（CD：Cash  Dispenser）や両替機、飲料やタバコ等の自動販売機、電車の切符や観劇のチケットを販売する券売機、精算機、パチンコ台やスロット台のような遊戯機等のような、この他種々の装置に設けられるロック部に広く適用することができる。
【０３７４】
さらに上述した第１乃至第３の実施の形態においては、本発明の現金自動取引装置を、図１乃至図１４について上述した現金自動預払機１に適用するようにした場合について述べた。
【０３７５】
しかしながら本発明は、これに限らず、現金自動支払機や両替機、飲料やタバコ等の自動販売機、電車の切符や観劇のチケットを販売する券売機、精算機、パチンコ台やスロット台のような遊戯機等のように、この他種々の現金自動取引装置に広く適用することができる。
【０３７６】
さらに上述した第１乃至第３の実施の形態においては、装填対象が差入及び引出可能に装填される装填位置として、図１乃至図１４について上述したカセット収納フレーム２１内の装填位置を適用するようにした場合について述べた。
【０３７７】
しかしながら本発明は、これに限らず、装填対象の種類や構成に応じて、現金自動預払機１等の装置内部や、装置から引出可能な引出部の内部等のように、この他種々の装填位置を広く適用することができる。
【０３７８】
さらに上述した第１乃至第３の実施の形態においては、装填位置に差入及び引出可能に装填される装填対象として、図１乃至図１４について上述した、カセット右側壁にカセット長孔が穿設されたカセット１６乃至１８を適用するようにした場合について述べた。
【０３７９】
しかしながら本発明は、これに限らず、側壁にロックレバーの先端部を差し込むための凹部や溝部が形成されたカセット等のように、この他種々の構成の装填対象を広く適用することができる。
【０３８０】
さらに上述した第１乃至第３の実施の形態においては、装填位置に差入及び引出可能に装填される装填対象を装填位置にロックするためのロックレバーとして、図１乃至図１４について上述した略くの字状のロックレバー３２、４１や棒状のロックレバー６１を適用するようにした場合について述べた。
【０３８１】
しかしながら本発明は、これに限らず、Ｌ字状や弓形状、円弧状等の種々の形状のロックレバー等のように、この他種々の構成のロックレバーを広く適用することができる。
【０３８２】
ところで、本発明は、ロックレバー３２、４１を回転させて先端部３２Ｂ、４１Ｂをカセット１６乃至１８のカセット長孔に差し込み、またロックレバー６１を水平方向に移動させてカセット６３の孔６３ＡＸに差し込むようにした。
【０３８３】
しかしながら本発明は、これに限らず、ロックレバーを装填対象の壁部に対して斜めに移動させて先端部を当該装填対象に差し込むように、ロックレバーを装填対象に対して、この他種々の方向や動き方で移動させて先端部を装填対象に差し込むようにしても良い。
【０３８４】
さらに上述した第１乃至第３の実施の形態においては、ロックレバーのロックレバー先端部を、装填位置に装填された装填対象に差し込んで当該装填対象を装填位置にロックするためのロック位置と、装填対象から抜き出して装填位置に対する装填対象のロックを解除する解除位置とに変位させると共に、ロック位置に変位させたロックレバー先端部に外部から直接外力が加えられたときには、当該ロックレバー先端部をロック位置から退避させるようにロックレバーを支持する支持部として、図１乃至図１４について上述したレバー支持板３３を適用するようにした場合について述べた。
【０３８５】
しかしながら本発明は、これに限らず、カセット収納フレーム２１の側壁や、現金自動預払機１の筐体等のように、この他種々の支持部を広く適用することができる。
【０３８６】
さらに上述した第３の実施の形態においては、装填対象に回動可能に支持されるロック支援レバーとして、図１乃至図１４について上述した略くの字状のロック支援レバー５１を適用するようにした場合について述べた。
【０３８７】
しかしながら本発明は、これに限らず、Ｌ字状や弓形状、円弧状等の種々の形状のロック支援レバー等のように、この他種々の構成のロック支援レバーを広く適用することができる。
【０３８８】
ところで、本発明は、ロック支援レバー５１を回転させて先端部５１Ｂをカセット１６乃至１８の外部に突出させるようにした。
【０３８９】
しかしながら本発明は、これに限らず、ロック支援レバーをこの他種々の方向や動き方で移動させて先端部を装填対象から突出させるようにしても良い。
【産業上の利用可能性】
【０３９０】
本発明は、現金自動預払機や現金自動支払機に設けられたロック部等のロック装置と、現金自動預払機や現金自動支払機等の現金自動取引装置とに利用することができる。
【符号の説明】
【０３９１】
１……現金自動預払機、１６乃至１８、６３……カセット、１６ＡＸ……カセット長孔、２１、６２……カセット収納フレーム、２１ＡＸ……フレーム長孔、３１、４０、６０……ロック部、３２、４１、６１……ロックレバー、３２Ａ、４１Ａ……根元部、３２Ｂ、４１Ｂ……先端部、３２ＢＸ、４１ＢＸ……先端部外側面、３２ＢＷ……先端部内側面、３３……レバー支持板、３４……レバー回動軸、４１ＢＷ、５１ＢＷ……切欠部、４１ＢＺ……傾斜面、５０……ロック支援部、５１……ロック支援レバー。
【図１】
0005831010.tif 000002
【図２】
0005831010.tif 000003
【図３】
0005831010.tif 000004
【図４】
0005831010.tif 000005
【図５】
0005831010.tif 000006
【図６】
0005831010.tif 000007
【図７】
0005831010.tif 000008
【図８】
0005831010.tif 000009
【図９】
0005831010.tif 000010
【図１０】
0005831010.tif 000011
【図１１】
0005831010.tif 000012
【図１２】
0005831010.tif 000013
【図１３】
0005831010.tif 000014
【図１４】
0005831010.tif 000015